(57)【要約】【課題】エンハンスメントレイヤと解像度情報のデフォルトのマッピングを改善できるようにする。【解決手段】Rep_format数がレイヤ数より少ない場合にも、先頭から順にレイヤとの対応関係を定義する。なお、候補が複数あって、レイヤがそれ以上の場合は、自動的に、候補とレイヤとをマッピングする。例えば、レイヤ０がRep_format０を参照して、レイヤ１とレイヤ２がRep_format１を参照する例が示されているが、レイヤ０とレイヤ１がRep_format０を参照して、レイヤ２がRep_format１を参照するとしてもよい。なお、レイヤの小さい番号順に対応させていくのであればどのような対応であってもよい。本開示は、例えば、画像処理装置に適用することができる。【選択図】図９
2015186028.tif 000002
【特許請求の範囲】
【請求項１】
画像のレイヤの解像度情報の候補が複数あって、前記候補の数よりレイヤの数が多い場合、前記解像度情報とエンハンスメントレイヤとの対応関係を設定する設定部と、
画像を符号化して、ビットストリームを生成する符号化部と、
前記設定部により設定された対応関係に関する情報と、前記符号化部により生成されたビットストリームとを伝送する伝送部と
を備える画像符号化装置。
【請求項２】
前記設定部は、前記候補の数がレイヤの数より多い場合、前記候補の先頭から順に、前記解像度情報とエンハンスメントレイヤとの対応関係を設定する
請求項１に記載の画像符号化装置。
【請求項３】
前記設定部は、前記候補の数が複数の場合、前記解像度情報とエンハンスメントレイヤとの対応関係の有無を示す情報を設定する
請求項１に記載の画像符号化装置。
【請求項４】
前記設定部は、前記候補の数が１つの場合、シーケンスパラメータセットでの解像度情報とエンハンスメントレイヤとの対応関係の更新を禁止する
請求項１に記載の画像符号化装置。
【請求項５】
画像符号化装置が、
画像のレイヤの解像度情報の候補が複数あって、前記候補の数よりレイヤの数が多い場合、前記解像度情報とエンハンスメントレイヤとの対応関係を設定し、
画像を符号化して、ビットストリームを生成し、
設定された対応関係に関する情報と、生成されたビットストリームとを伝送する
画像符号化方法。
【請求項６】
画像が符号化されて生成されたビットストリームを受け取る受け取り部と、
前記受け取り部により受け取られたビットストリームから、前記画像のレイヤの解像度情報の候補が複数あって、前記候補の数よりレイヤの数が多い場合に設定された前記解像度情報とエンハンスメントレイヤとの対応関係に関する情報を抽出する抽出部と、
前記抽出部により抽出された前記解像度情報とエンハンスメントレイヤとの対応関係に関する情報を用いて、前記受け取り部により受け取られたビットストリームを復号し、画像を生成する復号部と
を備える画像復号装置。
【請求項７】
前記候補の数がレイヤの数より多い場合、前記解像度情報とエンハンスメントレイヤとの対応関係は、前記候補の先頭から順に設定されている
請求項６に記載の画像復号装置。
【請求項８】
前記候補の数が複数の場合、前記解像度情報とエンハンスメントレイヤとの対応関係の有無を示す情報が設定されている
請求項６に記載の画像復号装置。
【請求項９】
前記候補の数が１つの場合、シーケンスパラメータセットでの解像度情報とエンハンスメントレイヤとの対応関係の更新が禁止されている
請求項６に記載の画像復号装置。
【請求項１０】
画像復号装置が、
画像が符号化されて生成されたビットストリームを受け取り、
受け取られたビットストリームから、前記画像のレイヤの解像度情報の候補が複数あって、前記候補の数よりレイヤの数が多い場合に設定された前記解像度情報とエンハンスメントレイヤとの対応関係に関する情報を抽出し、
抽出された前記解像度情報とエンハンスメントレイヤとの対応関係に関する情報を用いて、前記ビットストリームを復号し、画像を生成する
画像復号方法。
【発明の詳細な説明】
【技術分野】
【０００１】
本開示は画像符号化装置および方法、並びに画像復号装置および方法に関し、特にエンハンスメントレイヤと解像度情報のデフォルトのマッピングを改善できるようにした画像符号化装置および方法、並びに画像復号装置および方法に関する。
【背景技術】
【０００２】
近年、画像情報をデジタルとして取り扱い、その際、効率の高い情報の伝送、蓄積を目的とし、画像情報特有の冗長性を利用して、離散コサイン変換等の直交変換と動き補償により圧縮する符号化方式を採用して画像を圧縮符号する装置が普及しつつある。この符号化方式には、例えば、MPEG（Moving Picture Experts Group）やH．264及びMPEG-4 Part10 （Advanced Video Coding、以下 AVCと記す）などがある。
【０００３】
そして、現在、H．264/AVCより更なる符号化効率の向上を目的として、ITU-TとISO/IECとの共同の標準化団体であるJCTVC (Joint Collaboration Team - Video Coding) により、HEVC (High Efficiency Video Coding) と呼ばれる符号化方式の標準化が進められている。
【０００４】
ところで、これまでの、MPEG-2やAVCといった画像符号化方式は、画像を複数のレイヤに階層化して符号化するスケーラビリティ（scalability）機能を有していた。
【０００５】
このようなHEVCに関するスケーラブル拡張(SHVC)やMV-HEVCにおいては、VPSのみでビットストリームの概要が把握できるようにするため、各エンハンスメントレイヤの解像度情報(rep_format)を、VPS_EXTに記述する仕組みになっている。
【０００６】
例えば、エンハンスメントレイヤと解像度情報のマッピング方法は、次の２通りがある。すなわち、１つ目は、VPS_EXTでレイヤ毎の値を規定するというものである。２つ目は、エンハンスメントレイヤのSPSで、VPS_EXTで伝送済みのrep_format情報をポイントし、VPSの情報を上書きするというものである。
【先行技術文献】
【非特許文献】
【０００７】
【非特許文献１】J. Chen ,J. Boyce ,Y. Ye, M. M. Hannuksela ,G. J. Sullivan, Y.-K. Wang (editors),"High efficiency video coding (HEVC) scalable extension Draft 5",JCTVC-P1008_v4,2014 Jan.
【発明の概要】
【発明が解決しようとする課題】
【０００８】
しかしながら、上述したようなエンハンスメントレイヤと解像度情報のデフォルトのマピング情報に、rep_format_idx_present_flag)などのフラグまたは解像度情報数とレイヤ数の関係などが利用されているが、それらは不十分で改善の余地があった。
【０００９】
本開示は、このような状況に鑑みてなされたものであり、エンハンスメントレイヤと解像度情報のデフォルトのマッピングを改善することができるものである。
【課題を解決するための手段】
【００１０】
本開示の一側面の画像符号化装置は、画像のレイヤの解像度情報の候補が複数あって、前記候補の数よりレイヤの数が多い場合、前記解像度情報とエンハンスメントレイヤとの対応関係を設定する設定部と、画像を符号化して、ビットストリームを生成する符号化部と、前記設定部により設定された対応関係に関する情報と、前記符号化部により生成されたビットストリームとを伝送する伝送部とを備える。
【００１１】
前記設定部は、前記候補の数がレイヤの数より多い場合、前記候補の先頭から順に、前記解像度情報とエンハンスメントレイヤとの対応関係を設定することができる。
【００１２】
前記設定部は、前記候補の数が複数の場合、前記解像度情報とエンハンスメントレイヤとの対応関係の有無を示す情報を設定することができる。
【００１３】
前記設定部は、前記候補の数が１つの場合、シーケンスパラメータセットでの解像度情報とエンハンスメントレイヤとの対応関係の更新を禁止することができる。
【００１４】
本開示の一側面の画像符号化方法は、画像符号化装置が、画像のレイヤの解像度情報の候補が複数あって、前記候補の数よりレイヤの数が多い場合、前記解像度情報とエンハンスメントレイヤとの対応関係を設定し、画像を符号化して、ビットストリームを生成し、設定された対応関係に関する情報と、生成されたビットストリームとを伝送する。
【００１５】
本開示の他の側面の画像復号装置は、画像が符号化されて生成されたビットストリームを受け取る受け取り部と、前記受け取り部により受け取られたビットストリームから、前記画像のレイヤの解像度情報の候補が複数あって、前記候補の数よりレイヤの数が多い場合に設定された前記解像度情報とエンハンスメントレイヤとの対応関係に関する情報を抽出する抽出部と、前記抽出部により抽出された前記解像度情報とエンハンスメントレイヤとの対応関係に関する情報を用いて、前記受け取り部により受け取られたビットストリームを復号し、画像を生成する復号部とを備える。
【００１６】
前記候補の数がレイヤの数より多い場合、前記解像度情報とエンハンスメントレイヤとの対応関係は、前記候補の先頭から順に設定されている。
【００１７】
前記候補の数が複数の場合、前記解像度情報とエンハンスメントレイヤとの対応関係の有無を示す情報が設定されている。
【００１８】
前記候補の数が１つの場合、シーケンスパラメータセットでの解像度情報とエンハンスメントレイヤとの対応関係の更新が禁止されている。
【００１９】
本開示の他の側面の画像復号方法は、画像復号装置が、画像が符号化されて生成されたビットストリームを受け取り、受け取られたビットストリームから、前記画像のレイヤの解像度情報の候補が複数あって、前記候補の数よりレイヤの数が多い場合に設定された前記解像度情報とエンハンスメントレイヤとの対応関係に関する情報を抽出し、抽出された前記解像度情報とエンハンスメントレイヤとの対応関係に関する情報を用いて、前記ビットストリームを復号し、画像を生成する。
【００２０】
本開示の一側面においては、画像のレイヤの解像度情報の候補が複数あって、前記候補の数よりレイヤの数が多い場合、前記解像度情報とエンハンスメントレイヤとの対応関係が設定される。そして、画像が符号化されて、ビットストリームが生成され、設定された対応関係に関する情報と、生成されたビットストリームとが伝送される。
【００２１】
本開示の他の側面においては、画像が符号化されて生成されたビットストリームが受け取られ、受け取られたビットストリームから、前記画像のレイヤの解像度情報の候補が複数あって、前記候補の数よりレイヤの数が多い場合に設定された前記解像度情報とエンハンスメントレイヤとの対応関係に関する情報が抽出される。そして、抽出された前記解像度情報とエンハンスメントレイヤとの対応関係に関する情報を用いて、前記ビットストリームが復号され、画像が生成される。
【００２２】
なお、上述の画像符号化装置と画像復号装置は、独立した画像処理装置であっても良いし、１つの画像符号化装置または画像復号装置を構成している内部ブロックであってもよい。
【発明の効果】
【００２３】
本開示の一側面によれば、画像を符号化することができる。特に、エンハンスメントレイヤと解像度情報のデフォルトのマッピングが改善される。
【００２４】
本開示の他の側面によれば、画像を復号することができる。特に、エンハンスメントレイヤと解像度情報のデフォルトのマッピングが改善される。
【００２５】
なお、ここに記載された効果は必ずしも限定されるものではなく、本開示中に記載され
たいずれかの効果であってもよい。
【図面の簡単な説明】
【００２６】
【図１】コーディングユニットの構成例を説明する図である。
【図２】VPS_EXTのシンタクスの例を示す図である。
【図３】RBSPに関するSPSのシンタクスの例を示す図である。
【図４】セマンテクスの例を示す図である。
【図５】図２のシンタクスの場合のポイントを説明する図である。
【図６】図２のシンタクスの場合のポイントを説明する図である。
【図７】図２のシンタクスの場合のポイントを説明する図である。
【図８】本技術のシンタクスの場合のポイントを説明する図である。
【図９】本技術のシンタクスの場合のポイントを説明する図である。
【図１０】本技術のシンタクスの場合のポイントを説明する図である。
【図１１】本技術のシンタクスの場合のポイントを説明する図である。
【図１２】本技術のシンタクスの例を示す図である。
【図１３】本技術のシンタクスの例を示す図である。
【図１４】本技術のセマンテクスの例を示す図である。
【図１５】具体例を説明する図である。
【図１６】具体例を説明する図である。
【図１７】具体例を説明する図である。
【図１８】本開示を適用した符号化装置の第１実施の形態の構成例を示すブロック図である。
【図１９】図１８の符号化部の構成例を示すブロック図である。
【図２０】ストリーム生成処理を説明するフローチャートである。
【図２１】パラメータセット設定処理を説明するフローチャートである。
【図２２】図２０の符号化処理の詳細を説明するフローチャートである。
【図２３】図２０の符号化処理の詳細を説明するフローチャートである。
【図２４】本開示を適用した復号装置の第１実施の形態の構成例を示すブロック図である。
【図２５】図２４の復号部の構成例を示すブロック図である。
【図２６】図２４の復号装置の画像生成処理を説明するフローチャートである。
【図２７】図２６の復号装置のパラメータセット抽出処理を説明するフローチャートである。
【図２８】図２６の復号処理の詳細を説明するフローチャートである。
【図２９】コンピュータのハードウエアの構成例を示すブロック図である。
【図３０】多視点画像符号化方式の例を示す図である。
【図３１】本開示を適用した多視点画像符号化装置の構成例を示す図である。
【図３２】本開示を適用した多視点画像復号装置の構成例を示す図である。
【図３３】階層画像符号化方式の例を示す図である。
【図３４】スペーシャルなスケーラブル符号化の例を説明する図である。
【図３５】テンポラルなスケーラブル符号化の例を説明する図である。
【図３６】信号雑音比のスケーラブル符号化の例を説明する図である。
【図３７】本開示を適用した階層画像符号化装置の構成例を示す図である。
【図３８】本開示を適用した階層画像復号装置の構成例を示す図である。
【図３９】本開示を適用したテレビジョン装置の概略構成例を示す図である。
【図４０】本開示を適用した携帯電話機の概略構成例を示す図である。
【図４１】本開示を適用した記録再生装置の概略構成例を示す図である。
【図４２】本開示を適用した撮像装置の概略構成例を示す図である。
【図４３】スケーラブル符号化利用の一例を示すブロック図である。
【図４４】スケーラブル符号化利用の他の例を示すブロック図である。
【図４５】スケーラブル符号化利用のさらに他の例を示すブロック図である。
【図４６】本開示を適用したビデオセットの概略的な構成の一例を示している。
【図４７】本開示を適用したビデオプロセッサの概略的な構成の一例を示している。
【図４８】本開示を適用したビデオプロセッサの概略的な構成の他の例を示している。
【発明を実施するための形態】
【００２７】
以下、本開示を実施するための形態（以下実施の形態とする）について説明する。なお、説明は以下の順序で行う。
０．概要
１．第１の実施の形態（符号化装置、復号装置）
２．第２の実施の形態（コンピュータ）
３．第３の実施の形態（多視点画像符号化装置、多視点画像復号装置）
４．第４の実施の形態（階層画像符号化装置、階層画像復号装置）
５．第５の実施の形態（テレビジョン装置）
６．第６の実施の形態（携帯電話機）
７．第７の実施の形態（記録再生装置）
８．第８の実施の形態（撮像装置）
９.スケーラブル符号化の応用例
１０.実施のその他の例
【００２８】
＜０．概要＞
（符号化方式）
以下においては、HEVC（High Efficiency Video Coding）方式の画像符号化・復号に適用する場合を例に、本技術を説明する。
【００２９】
（符号化単位の説明）
図１は、HEVC方式における符号化単位であるCoding UNIT(CU)を説明する図である。
【００３０】
HEVC方式では、4000画素×2000画素のUHD（Ultra High Definition）などのような大きな画枠の画像も対象としているため、符号化単位のサイズを16画素×16画素に固定することは最適ではない。従って、HEVC方式では、符号化単位としてCUが定義されている。
【００３１】
CUは、AVC方式におけるマクロブロックと同様の役割を果たす。具体的には、CUはPUに分割されたり、TUに分割されたりする。
【００３２】
但し、CUのサイズは、シーケンスごとに可変の２のべき乗画素で表される正方形である。具体的には、CUは、最大のサイズのCUであるLCUを、最小のサイズのCUであるSCU(Smallest Coding Unit)より小さくならないように、任意の回数だけ水平方向および垂直方向に２分割することにより設定される。即ち、LCUを、SCUになるまで、上の階層のサイズが下の階層のサイズの1/4となるように階層化したときの任意の階層のサイズがCUのサイズである。
【００３３】
例えば、図１では、LCUのサイズが128であり、SCUのサイズが8である。従って、LCUの階層深度（Depth）は0乃至4となり、階層深度数は5となる。即ち、CUに対応する分割数は0乃至4のいずれかである。
【００３４】
なお、LCUとSCUのサイズを指定する情報は、SPSに含められる。また、CUに対応する分割数は、各階層においてさらに分割するかどうかを表すsplit_flagにより指定される。CUの詳細については、非特許文献１に記載されている。
【００３５】
ＴＵのサイズは、CUのsplit_flagと同様に、split_transform_flagを用いて指定することができる。インター予測時およびイントラ予測時のＴＵの最大分割数は、それぞれ、max_transform_hierarchy_depth_inter,max_transform_hierarchy_depth_intraとして、SPSにより指定される。
【００３６】
また、本明細書において、CTU（Coding Tree Unit）は、LCUのCTB（Coding Tree Block）と、そのLCUベース（レベル）で処理するときのパラメータを含む単位であるとする。また、CTUを構成するCUは、CB(Coding Block)と、そのCUベース（レベル）で処理するときのパラメータを含む単位であるとする。
【００３７】
（モード選択）
ところで、AVCそしてHEVC符号化方式において、より高い符号化効率を達成するには、適切な予測モードの選択が重要である。
【００３８】
かかる選択方式の例として、JM (Joint Model) と呼ばれるH.264/MPEG-4 AVCの参照ソフトウエア (http://iphome.hhi.de/suehring/tml/index.htm において公開されている) に実装されている方法を挙げることが出来る。
【００３９】
JMにおいては、以下に述べる、High Complexity Modeと、Low Complexity Modeの2通りのモード判定方法を選択することが可能である。どちらも、それぞれの予測モードModeに関するコスト関数値を算出し、これを最小にする予測モードを当該ブロック乃至マクロブロックに対する最適モードとして選択する。
【００４０】
High Complexity Modeにおけるコスト関数は、以下の式（１）のように示される。
【００４１】
2015186028.tif 000003
【００４２】
ここで、Ωは、当該ブロック乃至マクロブロックを符号化するための候補モードの全体集合、Dは、当該予測モードで符号化した場合の、復号画像と入力画像の差分エネルギーである。λは、量子化パラメータの関数として与えられるLagrange未定乗数である。Ｒは、直交変換係数を含んだ、当該モードで符号化した場合の総符号量である。
【００４３】
つまり、High Complexity Modeでの符号化を行うには、上記パラメータＤ及びＲを算出するため、全ての候補モードにより、一度、仮エンコード処理を行う必要があり、より高い演算量を要する。
【００４４】
Low Complexity Modeにおけるコスト関数は、以下の式（２）のように示される。
【００４５】
2015186028.tif 000004
【００４６】
ここで、Dは、High Complexity Modeの場合と異なり、予測画像と入力画像の差分エネルギーとなる。QP2Quant(QP)は、量子化パラメータQPの関数として与えられ、HeaderBitは、直交変換係数を含まない、動きベクトルや、モードといった、Headerに属する情報に関する符号量である。
【００４７】
すなわち、Low Complexity Modeにおいては、それぞれの候補モードに関して、予測処理を行う必要があるが、復号画像までは必要ないため、符号化処理まで行う必要はない。このため、High Complexity Modeより低い演算量での実現が可能である。
【００４８】
（rep_formatの伝送）
ところで、これまでの、MPEG-2やAVCといった画像符号化方式は、画像を複数のレイヤに階層化して符号化するスケーラビリティ（scalability）機能を有していた。
【００４９】
すなわち、例えば携帯電話機のような、処理能力の低い端末に対しては、ベースレイヤ（base layer）のみの画像圧縮情報を伝送し、空間時間解像度の低い、或いは、画質の良くない動画像を再生し、テレビやパーソナルコンピュータのような、処理能力の高い端末に対しては、ベースレイヤ（base layer）に加えて、エンハンスメントレイヤ（enhancement layer）の画像圧縮情報を伝送し、空間時間解像度の高い、或いは、画質の高い動画像を再生するといったように、トランスコード処理を行うことなく、端末やネットワークの能力に応じた画像圧縮情報を、サーバから送信することが可能となる。
【００５０】
このようなHEVCに関するスケーラブル拡張(SHVC)やMV-HEVCにおいては、VPSのみでビットストリームの概要が把握できるようにするため、各エンハンスメントレイヤの解像度情報(rep_format)を、VPS_EXT(Video parameter set extension syntax)に記述する仕組みになっている。
【００５１】
例えば、エンハンスメントレイヤと解像度情報のマッピング方法は、次の２通りがある。すなわち、１つ目は、VPS_EXTでレイヤ毎の値を規定するというものである。２つ目は、エンハンスメントレイヤのSPS(Sequence parameter set)で、VPS_EXTで伝送済みのrep_format情報をポイントし、VPSの情報を上書きするというものである。以下、非特許文献１の場合を例に説明していく。
【００５２】
（VPS_EXTのシンタクスの例）
図２は、VPS_EXTのシンタクスの例を示す図である。図２の例において、１行目のrep_format_idx_present_flagの値が１ならば、次に、vps_num_rep_formats_minus1として、rep_formatを送る個数が設定される。すなわち、rep_format_idx_present_flagは、解像度情報とエンハンスメントレイヤとの対応関係の有無を示す情報である。
【００５３】
４行目のループで、vps_num_rep_formats_minus1の数だけ、rep_formatが設定されて、次の７行目のループで、どのレイヤがどのrep_formatを使用するかを示すインデックスであるvps_rep_format_idx[i]が設定される。
【００５４】
（SPSのシンタクスの例）
図３は、RBSPに関するSPSのシンタクスの例を示す図である。図３の例においては、すべてのエンハンスメントレイヤにおいて、２行目のupdate_rep_format_flagが１ならば、４行目のsps_rep_format_idxによりVPSで設定されたインデックスを変更することができることが示されている。
【００５５】
(VPSとSPSのセマンテクス)
図４は、図２のVPSと図３のSPSのセマンテクスの例を示す図である。
【００５６】
以上、まとめるに、上述したシンタックスおよびセマンテクスを有する規定においては、図５に示されるように、rep_format_idx_present_flagが０の場合、Rep_format数とLayer数と同じでなければいけない。また、レイヤ毎のインデックス伝送は省略される。すなわち、レイヤ数が３なら、３つのRep_formatを送る必要がある。
【００５７】
一方、SPSでupdate_rep_format_flag=1とすると、対応関係の上書きが可能となる。
【００５８】
ここで、VPSでこの関係を定義した後、Layer>0においては、SPSで、参照するRep_formatをUpdateすることができることに注目する。つまり、VPSにおいては、あくまでデフォルトの関係を定義しているにすぎない。
【００５９】
次に、図６に示されるように、rep_format_idx_present_flagが１で、かつ、Rep_format数が複数ある場合、エンハンスメントレイヤ毎にインデックスが伝送される。Layer0(BaseLayer)は、Rep_format０番に固定される。なお、Rep_format数に制限はない（上限は256）。
【００６０】
繰り返しになるが、VPSでこれらの関係を定義した後、Layer＞０では、SPSで参照するRep_formatを更新することができる。
【００６１】
さらに、図７に示されるように、rep_format_idx_present_flagが１で、かつ、Rep_format数が１つだけある場合、Layer毎のインデックス伝送は省略される。すなわち、全レイヤが、Rep_format０番に固定される。この場合、rep_format_idx_present_flagを符号化する意味はなく、rep_format_idx_present_flagを必ず伝送しないといけないことは、冗長である。
【００６２】
（本技術の概要）
いままで、Rep_format数とレイヤ数とが１対１の関係であった。これに対して、本技術においては、Rep_format数がレイヤ数より多い場合に、図８に示されるように、先頭から順にレイヤとの対応関係を定義する。
【００６３】
または、図９に示されるように、Rep_format数がレイヤ数より少ない場合にも、先頭から順にレイヤとの対応関係を定義する。なお、候補が複数あって、レイヤがそれ以上の場合は、自動的に、候補とレイヤとをマッピングする。
【００６４】
例えば、レイヤ０がRep_format０を参照して、レイヤ１とレイヤ２がRep_format１を参照する例が示されているが、レイヤ０とレイヤ１がRep_format０を参照して、レイヤ２がRep_format１を参照するとしてもよい。なお、レイヤの小さい番号順に対応させていくのであればどのような対応であってもよい。
【００６５】
以上により、Rep_format_idx_present_flag==0の場合、Rep_format数とレイヤ数は同じでなければいけないという制約がなくなる。したがって、Rep_format数とレイヤ数のマッピングに自由度が増す。
【００６６】
また、VPSで定義されていない解像度は、シーケンスの途中で換えることができない。もう一度VPSを送らないといけない。したがって、VPSにすべての解像度をおいておく必要がある。このような場合に、上述したように候補とレイヤとに自動的にマッピングがなされると効果的である。
【００６７】
次に、Rep_format数が１つだけの場合、Rep_format_idx_present_flagの伝送が冗長なので、伝送順序と条件を変更する。特に、図１０に示されるように、vps_num_rep_formats_minus1の伝送を必須化し、対応付けのためのインデックスの伝送は、より必要な場合のみとする。
【００６８】
すなわち、図１０の下のシンタクスに示されるように、vps_num_rep_formats_minus1の伝送を必須化し、図２のVPSの先頭にあったrep_format_idx_present_flagを、vps_num_rep_formats_minus1>0のif文の中に入れる。
【００６９】
さらに、図１１に示されるように、Rep_format数が１つだけの場合、SPSでの更新を禁止する。具体的には、SPSに、update_rep_format_flag=0にするという制約を入れる。
【００７０】
（本技術のVPSシンタクスの例）
図１２は、本技術のVPSシンタクスの例を示す図である。図１０を参照して上述したように、vps_num_rep_formats_minus1がVPSのトップに配置されて、vps_num_rep_formats_minus1の伝送が必須化され、図２のVPSの先頭にあったrep_format_idx_present_flagが、vps_num_rep_formats_minus1>0のif文の中に入れられる。
【００７１】
（本技術のSPSシンタクスの例）
図１３は、本技術のSPSシンタクスの例を示す図である。Rep_format数が１つだけの場合、特にSPSについての変更点はない。なお、図１１を参照して、上述したように、Rep_format数が１つだけの場合、SPSに、update_rep_format_flag=0にするという制約を入れる。
【００７２】
（本技術のセマンテクスの例）
図１４は、本技術のVPSおよびSPSのセマンテクスの例を示す図である。図１４の例において、白抜き文字のところが、図４のセマンテクスの例と異なる本技術のポイントである。すなわち、このポイントとして、マッピング情報が送られないとき、デコーダ側がどうやって推定するかが明示されている。
【００７３】
すなわち、VPSのvps_num_rep_formats_minus1については、図４の例と基本的に共通している。rep_format_idx_present_flagについては、存在しないとき、rep_format_idx_present_flagの値は０と等しいであろうという点が図４の例と異なっている。
【００７４】
vps_rep_format_idx[i]については、存在しないとき、vps_rep_format_idx[i]の値は、rep_format_idx_present_flagが１のとき、０であり、rep_format_idx_present_flagが０のとき、iかvps_num_rep_formats_minus1の小さい方であるという点が図４の例と異なっている。
【００７５】
SPSのupdate_rep_format_flagについては、処理対象のVPSにおけるvps_num_rep_formats_minus1の値が０ならば、update_rep_format_flagの値は、０であるという点が図４の例と異なっている。
【００７６】
次に、図１５乃至図１７を参照して、具体的な例を説明する。
【００７７】
図１５の例においては、SNRスケーラビリティとViewスケーラビリティの場合、基本的に、全てのレイヤ（３レイヤ）の解像度が同じである。なお、図１５乃至図１７の例において、方法３が本技術の方法を表している。
【００７８】
方法１の場合、rep_format_idx_present_flagが１であるとき、０であり、その１つの情報は、Ｗ＊Ｈである。このとき、レイヤ１も２も、０番の情報を使うことを、復号側で推定する。
【００７９】
方法２の場合、rep_format_idx_present_flagが０であるとき、何個送るかの情報は、レイヤの数なので、（MaxLayersMinus1=3-1=2）となり、各レイヤがどこを参照するかは、各値（Ｗ＊Ｈ）を導出する。
【００８０】
これらに対して、方法３（本技術）の場合、解像度情報が１つしかないので、vps_num_rep_formats_minus1の値は、０である。また、０のときは、rep_format_idx_present_flagを伝送する必要がない。すなわち、rep_format_idx_present_flagを送らなくて済むので、この１ビット送る必要がなくなる。
【００８１】
図１６の例においては、レイヤ１とレイヤ２がSNRスケーラビリティであって、解像度が同じ２Ｗ＊２Ｈであり、レイヤ１とレイヤ２に対して、レイヤ０がSpatialスケーラビリティであって、解像度がｗ＊Ｈである。
【００８２】
方法１の場合、２つ（ｗ＊Ｈと２Ｗ＊２Ｈ）の情報を送る。vps_rep_format_idx[0]は、０番目のrep_formatと同じなので、何も送らず、vps_rep_format_idx[1]とvps_rep_format_idx[2]は、１とシグナリングする。
【００８３】
方法２の場合、vps_num_rep_formats_minus1の値は、０である。冗長ではあるが、ｗ＊Ｈと２Ｗ＊２Ｈ×２と、３回送る必要があるが、マッピング情報を送らなくてよい。
【００８４】
方法３（本技術）の場合、送る情報は２つなので、vps_num_rep_formats_minus1の値を、１とする。マッピングの情報は、推定できるので０とできる。したがって、伝送節約になる。
【００８５】
図１７の例においては、２つのレイヤは、Spatialスケーラビリティであって、レイヤ０は、解像度ｗ＊Ｈであり、レイヤ１は、解像度２ｗ＊２Ｈである。なお、図１７の例の場合、２種類の解像度の他、途中で変更する可能性のある解像度３ｗ＊３Ｈがある。
【００８６】
方法１は、必ずrep_format_idx_present_flagは１にしないといけない。方法２のように、rep_format_idx_present_flag＝０にしてしまうと、３つ解像度情報があるのに、２つしかレイヤがないので、対応がとれない。
【００８７】
方法３（本技術）の場合、rep_format_idx_present_flag＝１と伝送することはもちろんできるが、解像度情報は多くてもよいので、rep_format_idx_present_flagを０と伝送することができる。
【００８８】
以上のように、エンハンスメントレイヤと解像度情報のデフォルトのマッピングを改善することができる。これにより、エンハンスメントレイヤと解像度情報のマッピングの設定に柔軟性ができ、運用に融通が効くようになる。
【００８９】
すなわち、VPSは、解像度やビットデプス情報など、ビデオ通信に最も必要な情報を含むことから、セッションネゴシエーションに用いられる。
【００９０】
セッションネゴシエーションとは、異なる性能を持つ符号化器が通信を行う際、もっとも適したフォーマットで通信するため、お互いの処理能力について情報を交換することである。一般に、セッションネゴシエーションは、複数の機器の間で、通信中も含まれ、多数回行われる。通信中に行うのは、伝送帯域の変動なども考慮するためである。
【００９１】
VPS+SPS..とパラメータ数が増えると、１回あたりのネゴシエーションに必要なビット数が増えて、処理と帯域へのインパクトが大きい。
【００９２】
本技術によりVPSにおいて送る情報が減ると、以上のことに対して効果的にすることができる。
【００９３】
次に、以上のような本技術について、具体的な装置への適用例について説明する。
【００９４】
＜第１実施の形態＞
（符号化装置の一実施の形態の構成例）
図１８は、本開示を適用した符号化装置の一実施の形態の構成例を示すブロック図である。
【００９５】
図１８の符号化装置１０は、設定部１１、符号化部１２、および伝送部１３により構成され、画像をHEVC方式に準ずる方式で符号化する。
【００９６】
具体的には、符号化装置１０の設定部１１は、VPSおよびSPSなどを設定する。設定部１１は、設定されたVPS,SPS,PPS,VUI,SEIなどのパラメータセットを符号化部１２に供給する。
【００９７】
符号化部１２には、フレーム単位の画像が入力される。符号化部１２は、設定部１１から供給されるパラメータセットを参照して、入力された画像をHEVC方式に準ずる方式で符号化する。符号化部１２は、符号化の結果得られる符号化データとパラメータセットから符号化ストリームを生成し、伝送部１３に供給する。
【００９８】
伝送部１３は、符号化部１２から供給される符号化ストリームを、後述する復号装置に伝送する。
【００９９】
（符号化部の構成例）
図１９は、図１８の符号化部１２の構成例を示すブロック図である。
【０１００】
図１９の符号化部１２は、A/D変換部３１、画面並べ替えバッファ３２、演算部３３、直交変換部３４、量子化部３５、可逆符号化部３６、蓄積バッファ３７、逆量子化部３８、逆直交変換部３９、および加算部４０を有する。また、符号化部１２は、デブロックフィルタ４１、適応オフセットフィルタ４２、適応ループフィルタ４３、フレームメモリ４４、スイッチ４５、イントラ予測部４６、動き予測・補償部４７、予測画像選択部４８、レート制御部４９を有する。
【０１０１】
符号化部１２のA/D変換部３１は、符号化対象として入力されたフレーム単位の画像をA/D変換する。A/D変換部３１は、変換後のデジタル信号である画像を画面並べ替えバッファ３２に出力して記憶させる。
【０１０２】
画面並べ替えバッファ３２は、記憶した表示の順番のフレーム単位の画像を、GOP構造に応じて、符号化のための順番に並べ替える。画面並べ替えバッファ３２は、並べ替え後の画像を、演算部３３、イントラ予測部４６、および動き予測・補償部４７に出力する。
【０１０３】
演算部３３は、画面並べ替えバッファ３２から供給される画像から、予測画像選択部４８から供給される予測画像を減算することにより符号化を行う。演算部３３は、その結果得られる画像を、残差情報(差分)として直交変換部３４に出力する。なお、予測画像選択部４８から予測画像が供給されない場合、演算部３３は、画面並べ替えバッファ３２から読み出された画像をそのまま残差情報として直交変換部３４に出力する。
【０１０４】
直交変換部３４は、ＴＵ単位で、演算部３３からの残差情報に対して直交変換処理を行う。直交変換部３４は、直交変換処理後の直交変換処理結果を量子化部３５に供給する。
【０１０５】
量子化部３５は、色差信号量子化部５０からの輝度信号量子化パラメータおよび色差信号量子化パラメータを用いて直交変換部３４から供給される直交変換処理結果を量子化する。量子化部３５は、量子化の結果得られる量子化値を可逆符号化部３６に供給する。
【０１０６】
可逆符号化部３６は、最適イントラ予測モードを示す情報（以下、イントラ予測モード情報という）をイントラ予測部４６から取得する。また、可逆符号化部３６は、最適インター予測モードを示す情報（以下、インター予測モード情報という）、動きベクトル、参照画像を特定する情報などを動き予測・補償部４７から取得する。
【０１０７】
また、可逆符号化部３６は、適応オフセットフィルタ４２からオフセットフィルタに関するオフセットフィルタ情報を取得し、適応ループフィルタ４３からフィルタ係数を取得する。
【０１０８】
可逆符号化部３６は、量子化部３５から供給される量子化値に対して、可変長符号化（例えば、CAVLC（Context-Adaptive Variable Length Coding）など）、算術符号化（例えば、CABAC（Context-Adaptive Binary Arithmetic Coding）など）などの可逆符号化を行う。
【０１０９】
また、可逆符号化部３６は、イントラ予測モード情報、または、インター予測モード情報、動きベクトル、および参照画像を特定する情報、オフセットフィルタ情報、並びにフィルタ係数を、符号化に関する符号化情報として可逆符号化する。可逆符号化部３６は、可逆符号化された符号化情報と量子化値を、符号化データとして蓄積バッファ３７に供給し、蓄積させる。
【０１１０】
なお、可逆符号化された符号化情報は、可逆符号化された量子化値のヘッダ情報（例えばスライスヘッダ）とされてもよい。
【０１１１】
蓄積バッファ３７は、可逆符号化部３６から供給される符号化データを、一時的に記憶する。また、蓄積バッファ３７は、記憶している符号化データを、図１８の設定部１１から供給されるパラメータセットとともに、符号化ストリームとして伝送部１３に供給する。
【０１１２】
また、量子化部３５より出力された量子化値は、逆量子化部３８にも入力される。逆量子化部３８は、色差信号逆量子化部５１からの輝度信号量子化パラメータおよび色差信号量子化パラメータを用いて量子化値を逆量子化する。逆量子化部３８は、逆量化の結果得られる直交変換処理結果を逆直交変換部３９に供給する。
【０１１３】
逆直交変換部３９は、ＴＵ単位で、逆量子化部３８から供給される直交変換処理結果に対して逆直交変換処理を行う。逆直交変換の方式としては、例えば、IDCT(逆離散コサイン変換)とIDST(逆離散サイン変換)がある。逆直交変換部３９は、逆直交変換処理の結果得られる残差情報を加算部４０に供給する。
【０１１４】
加算部４０は、逆直交変換部３９から供給される残差情報と、予測画像選択部４８から供給される予測画像を加算し、復号を行う。加算部４０は、復号された画像をデブロックフィルタ４１とフレームメモリ４４に供給する。
【０１１５】
デブロックフィルタ４１は、加算部４０から供給される復号された画像に対して、ブロック歪を除去する適応デブロックフィルタ処理を行い、その結果得られる画像を適応オフセットフィルタ４２に供給する。
【０１１６】
適応オフセットフィルタ４２は、デブロックフィルタ４１による適応デブロックフィルタ処理後の画像に対して、主にリンギングを除去する適応オフセットフィルタ(SAO（Sample adaptive offset)）処理を行う。
【０１１７】
具体的には、適応オフセットフィルタ４２は、最大の符号化単位であるLCU（Largest Coding Unit）ごとに適応オフセットフィルタ処理の種類を決定し、その適応オフセットフィルタ処理で用いられるオフセットを求める。適応オフセットフィルタ４２は、求められたオフセットを用いて、適応デブロックフィルタ処理後の画像に対して、決定された種類の適応オフセットフィルタ処理を行う。
【０１１８】
適応オフセットフィルタ４２は、適応オフセットフィルタ処理後の画像を適応ループフィルタ４３に供給する。また、適応オフセットフィルタ４２は、行われた適応オフセットフィルタ処理の種類とオフセットを示す情報を、オフセットフィルタ情報として可逆符号化部３６に供給する。
【０１１９】
適応ループフィルタ４３は、例えば、２次元のウィナーフィルタ（Wiener Filter）により構成される。適応ループフィルタ４３は、適応オフセットフィルタ４２から供給される適応オフセットフィルタ処理後の画像に対して、例えば、LCUごとに、適応ループフィルタ（ALF(Adaptive Loop Filter)）処理を行う。
【０１２０】
具体的には、適応ループフィルタ４３は、LCUごとに、画面並べ替えバッファ３２から出力される画像である原画像と適応ループフィルタ処理後の画像の残差が最小となるように、適応ループフィルタ処理で用いられるフィルタ係数を算出する。そして、適応ループフィルタ４３は、適応オフセットフィルタ処理後の画像に対して、算出されたフィルタ係数を用いて、LCUごとに適応ループフィルタ処理を行う。
【０１２１】
適応ループフィルタ４３は、適応ループフィルタ処理後の画像をフレームメモリ４４に供給する。また、適応ループフィルタ４３は、適応ループフィルタ処理に用いられたフィルタ係数を可逆符号化部３６に供給する。
【０１２２】
なお、ここでは、適応ループフィルタ処理は、LCUごとに行われるものとするが、適応ループフィルタ処理の処理単位は、LCUに限定されない。但し、適応オフセットフィルタ４２と適応ループフィルタ４３の処理単位を合わせることにより、処理を効率的に行うことができる。
【０１２３】
フレームメモリ４４は、適応ループフィルタ４３から供給される画像と、加算部４０から供給される画像を蓄積する。フレームメモリ４４に蓄積されたフィルタ処理が行われていない画像のうちのＰＵ（Prediction Unit）に隣接する画像は、周辺画像としてスイッチ４５を介してイントラ予測部４６に供給される。一方、フレームメモリ４４に蓄積されたフィルタ処理が行われた画像は、参照画像としてスイッチ４５を介して動き予測・補償部４７に出力される。
【０１２４】
イントラ予測部４６は、ＰＵ単位で、フレームメモリ４４からスイッチ４５を介して読み出された周辺画像を用いて、候補となる全てのイントラ予測モードのイントラ予測処理を行う。
【０１２５】
また、イントラ予測部４６は、画面並べ替えバッファ３２から読み出された画像と、イントラ予測処理の結果生成される予測画像とに基づいて、候補となる全てのイントラ予モードに対してコスト関数値（詳細は後述する）を算出する。そして、イントラ予測部４６は、コスト関数値が最小となるイントラ予測モードを、最適イントラ予測モードに決定する。
【０１２６】
イントラ予測部４６は、最適イントラ予測モードで生成された予測画像、および、対応するコスト関数値を、予測画像選択部４８に供給する。イントラ予測部４６は、予測画像選択部４８から最適イントラ予測モードで生成された予測画像の選択が通知された場合、イントラ予測モード情報を可逆符号化部３６に供給する。なお、イントラ予測モードとはＰＵのサイズ、予測方向などを表すモードである。
【０１２７】
動き予測・補償部４７は、ＰＵ単位で候補となる全てのインター予測モードの動き予測・補償処理を行う。具体的には、動き予測・補償部４７は、画面並べ替えバッファ３２から供給される画像と、フレームメモリ４４からスイッチ４５を介して読み出される参照画像に基づいて、候補となる全てのインター予測モードの動きベクトルをＰＵ単位で検出する。そして、動き予測・補償部４７は、その動きベクトルに基づいてＰＵ単位で参照画像に補償処理を施し、予測画像を生成する。
【０１２８】
このとき、動き予測・補償部４７は、画面並べ替えバッファ３２から供給される画像と予測画像とに基づいて、候補となる全てのインター予測モードに対してコスト関数値を算出し、コスト関数値が最小となるインター予測モードを最適インター予測モードに決定する。そして、動き予測・補償部４７は、最適インター予測モードのコスト関数値と、対応する予測画像を予測画像選択部４８に供給する。また、動き予測・補償部４７は、予測画像選択部４８から最適インター予測モードで生、インター予測モード情報、対応する動きベクトル、参照画像を特定する情報などを可逆符号化部３６に出力する。なお、インター予測モードとは、ＰＵのサイズなどを表すモードである。
【０１２９】
予測画像選択部４８は、イントラ予測部４６および動き予測・補償部４７から供給されるコスト関数値に基づいて、最適イントラ予測モードと最適インター予測モードのうちの、対応するコスト関数値が小さい方を、最適予測モードに決定する。そして、予測画像選択部４８は、最適予測モードの予測画像を、演算部３３および加算部４０に供給する。また、予測画像選択部４８は、最適予測モードの予測画像の選択をイントラ予測部４６または動き予測・補償部４７に通知する。
【０１３０】
レート制御部４９は、蓄積バッファ３７に蓄積された符号化データに基づいて、オーバーフローあるいはアンダーフローが発生しないように、量子化部３５の量子化動作のレートを制御する。
【０１３１】
（符号化装置の処理の説明）
図２０は、図１８の符号化装置１０のストリーム生成処理を説明するフローチャートである。
【０１３２】
図２０のステップＳ１１において、符号化装置１０の設定部１１は、VPSやSPSなどのパラメータセットを設定する。設定部１１は、設定されたパラメータセットを符号化部１２に供給する。この設定処理の詳細は、後述する図２１を参照して説明する。
【０１３３】
ステップＳ１２において、符号化部１２は、外部から入力されたフレーム単位の画像をHEVC方式に準ずる方式で符号化する符号化処理を行う。この符号化処理の詳細は、後述する図２２および図２３を参照して説明する。
【０１３４】
ステップＳ１３において、符号化部１２の蓄積バッファ３７（図１９）は、設定部１１から供給されるパラメータセットと蓄積している符号化データから符号化ストリームを生成し、伝送部１３に供給する。
【０１３５】
ステップＳ１４において、伝送部１３は、設定部１１から供給される符号化ストリームを、後述する復号装置１１０に伝送し、処理を終了する。
【０１３６】
次に、図２１を参照して、図２０のステップＳ１１のパラメータの設定処理の詳細を説明する。
【０１３７】
ステップＳ３１において、図１８の設定部１１は、vps_num_rep_formats_minus1を設定する。設定部１１は、ステップＳ３２において、i=0とし、ステップＳ３３において、iがvps_num_rep_formats_minus1以下であるか否かを判定する。ステップＳ３３において、iがvps_num_rep_formats_minus1以下であると判定された場合、処理は、ステップＳ３４に進む。
【０１３８】
設定部１１は、ステップＳ３４において、i番目のrep_format()を設定し、ステップＳ３５において、i++を行う。その後、処理は、ステップＳ３３に戻り、それ以降の処理が繰り返される。
【０１３９】
ステップＳ３３において、iがvps_num_rep_formats_minus1より大きいと判定された場合、処理は、ステップＳ３６に進む。
【０１４０】
ステップＳ３６において、設定部１１は、vps_num_rep_formats_minus1が０より大きいか否かを判定する。ステップＳ３６において、vps_num_rep_formats_minus1が０より大きいと判定された場合、ステップＳ３７において、設定部１１は、rep_format_idx_present_flag1を設定する。
【０１４１】
ステップＳ３６において、vps_num_rep_formats_minus1が０以下であると判定された場合、ステップＳ３７の処理はスキップされる。
【０１４２】
ステップＳ３８において、設定部１１は、vps_num_rep_formats_minus1が１であるか否かを判定する。ステップＳ３８において、vps_num_rep_formats_minus1が１であると判定された場合、ステップＳ３９において、設定部１１は、i=1とする。
【０１４３】
ステップＳ４０において、iがMaxLayersMinus1以下であるか否かを判定する。ステップＳ４０において、vps_num_rep_formats_minus1が１であると判定された場合、ステップＳ４１において、設定部１１は、vps_rep_format_idx[i]を設定し、ステップvps_num_rep_formats_minus1が１であると判定された場合、Ｓ４２において、i++とし、処理は、ステップＳ４０に戻り、それ以降の処理が繰り返される。
【０１４４】
一方、ステップＳ３８において、vps_num_rep_formats_minus1が１ではないと判定された場合、または、ステップＳ４０において、MaxLayersMinus1より小さいと判定された場合、パラメータセット設定処理は終了され、図２０のステップＳ１１に戻る。
【０１４５】
次に、図２２および図２３は、図２０のステップＳ１２の符号化処理の詳細を説明するフローチャートである。
【０１４６】
図２０のステップＳ６１において、符号化部１２のA/D変換部３１（図１９）は、符号化対象として入力されたフレーム単位の画像をA/D変換する。A/D変換部３１は、変換後のデジタル信号である画像を画面並べ替えバッファ３２に出力して記憶させる。
【０１４７】
ステップＳ６２において、画面並べ替えバッファ３２は、記憶した表示の順番のフレームの画像を、GOP構造に応じて、符号化のための順番に並べ替える。画面並べ替えバッファ３２は、並べ替え後のフレーム単位の画像を、演算部３３、イントラ予測部４６、および動き予測・補償部４７に供給する。
【０１４８】
ステップＳ６３において、イントラ予測部４６は、ＰＵ単位で候補となる全てのイントラ予測モードのイントラ予測処理を行う。また、イントラ予測部４６は、画面並べ替えバッファ３２から読み出された画像と、イントラ予測処理の結果生成される予測画像とに基づいて、候補となる全てのイントラ予測モードに対してコスト関数値を算出する。そして、イントラ予測部４６は、コスト関数値が最小となるイントラ予測モードを、最適イントラ予測モードに決定する。イントラ予測部４６は、最適イントラ予測モードで生成された予測画像、および、対応するコスト関数値を、予測画像選択部４８に供給する。
【０１４９】
また、動き予測・補償部４７は、ＰＵ単位で候補となる全てのインター予測モードの動き予測・補償処理を行う。また、動き予測・補償部４７は、画面並べ替えバッファ３２から供給される画像と予測画像とに基づいて、候補となる全てのインター予測モードに対してコスト関数値を算出し、コスト関数値が最小となるインター予測モードを最適インター予測モードに決定する。そして、動き予測・補償部４７は、最適インター予測モードのコスト関数値と、対応する予測画像を予測画像選択部４８に供給する。
【０１５０】
ステップＳ６４において、予測画像選択部４８は、ステップＳ６３の処理によりイントラ予測部４６および動き予測・補償部４７から供給されるコスト関数値に基づいて、最適イントラ予測モードと最適インター予測モードのうちのコスト関数値が最小となる方を、最適予測モードに決定する。そして、予測画像選択部４８は、最適予測モードの予測画像を、演算部３３および加算部４０に供給する。
【０１５１】
ステップＳ６５において、予測画像選択部４８は、最適予測モードが最適インター予測モードであるかどうかを判定する。ステップＳ６５で最適予測モードが最適インター予測モードであると判定された場合、予測画像選択部４８は、最適インター予測モードで生成された予測画像の選択を動き予測・補償部４７に通知する。
【０１５２】
そして、ステップＳ６６において、動き予測・補償部４７は、インター予測モード情報、動きベクトル、および参照画像を特定する情報を可逆符号化部３６に供給し、処理をステップＳ６８に進める。
【０１５３】
一方、ステップＳ６５で最適予測モードが最適インター予測モードではないと判定された場合、即ち最適予測モードが最適イントラ予測モードである場合、予測画像選択部４８は、最適イントラ予測モードで生成された予測画像の選択をイントラ予測部４６に通知する。そして、ステップＳ６７において、イントラ予測部４６は、イントラ予測モード情報を可逆符号化部３６に供給し、処理をステップＳ６８に進める。
【０１５４】
ステップＳ６８において、演算部３３は、画面並べ替えバッファ３２から供給される画像から、予測画像選択部４８から供給される予測画像を減算することにより符号化を行う。演算部３３は、その結果得られる画像を、残差情報として直交変換部３４に出力する。
【０１５５】
ステップＳ６９において、直交変換部３４は、ＴＵ単位で、残差情報に対して直交変換処理を行う。直交変換部３４は、直交変換処理後の直交変換処理結果を量子化部３５に供給する。
【０１５６】
ステップＳ７０において、量子化部３５は、直交変換部３４から供給される直交変換処理結果を量子化する。量子化部３５は、量子化の結果得られる量子化値を可逆符号化部３６と逆量子化部３８に供給する。
【０１５７】
ステップＳ７１において、逆量子化部３８は、色差信号逆量子化部５１からの輝度信号の量子化パラメータと色差信号の量子化パラメータを用いて、量子化部３５からの量子化値に対して逆量子化を行う。逆量子化部３８は、逆量化の結果得られる直交変換処理結果を逆直交変換部３９に供給する。
【０１５８】
ステップＳ７２において、逆直交変換部３９は、ＴＵ単位で、逆量子化部３８から供給される直交変換処理結果に対して逆直交変換処理を行う。逆直交変換部３９は、逆直交変換処理の結果得られる残差情報を加算部４０に供給する。
【０１５９】
ステップＳ７３において、加算部４０は、逆直交変換部３９から供給される残差情報と、予測画像選択部４８から供給される予測画像を加算し、復号を行う。加算部４０は、復号された画像をデブロックフィルタ４１とフレームメモリ４４に供給する。
【０１６０】
ステップＳ７４において、デブロックフィルタ４１は、加算部４０から供給される復号された画像に対して、デブロッキングフィルタ処理を行う。デブロックフィルタ４１は、その結果得られる画像を適応オフセットフィルタ４２に供給する。
【０１６１】
ステップＳ７５において、適応オフセットフィルタ４２は、デブロックフィルタ４１から供給される画像に対して、LCUごとに適応オフセットフィルタ処理を行う。適応オフセットフィルタ４２は、その結果得られる画像を適応ループフィルタ４３に供給する。また、適応オフセットフィルタ４２は、LCUごとに、オフセットフィルタ情報を可逆符号化部３６に供給する。
【０１６２】
ステップＳ７６において、適応ループフィルタ４３は、適応オフセットフィルタ４２から供給される画像に対して、LCUごとに適応ループフィルタ処理を行う。適応ループフィルタ４３は、その結果得られる画像をフレームメモリ４４に供給する。また、適応ループフィルタ４３は、適応ループフィルタ処理で用いられたフィルタ係数を可逆符号化部３６に供給する。
【０１６３】
ステップＳ７７において、フレームメモリ４４は、適応ループフィルタ４３から供給される画像と加算部４０から供給される画像を蓄積する。フレームメモリ４４に蓄積されたフィルタ処理が行われていない画像のうちのＰＵに隣接する画像は、周辺画像としてスイッチ４５を介してイントラ予測部４６に供給される。一方、フレームメモリ４４に蓄積されたフィルタ処理が行われた画像は、参照画像としてスイッチ４５を介して動き予測・補償部４７に出力される。
【０１６４】
ステップＳ７８において、可逆符号化部３６は、イントラ予測モード情報、または、インター予測モード情報、動きベクトル、および参照画像を特定する情報、オフセットフィルタ情報、並びにフィルタ係数を、符号化情報として可逆符号化する。
【０１６５】
ステップＳ７９において、可逆符号化部３６は、量子化部３５から供給される量子化値を可逆符号化する。そして、可逆符号化部３６は、ステップＳ７８の処理で可逆符号化された符号化情報と可逆符号化された量子化値から、符号化データを生成し、蓄積バッファ３７に供給する。
【０１６６】
ステップＳ８０において、蓄積バッファ３７は、可逆符号化部３６から供給される符号化データを、一時的に蓄積する。
【０１６７】
ステップＳ８１において、レート制御部４９は、蓄積バッファ３７に蓄積された符号化データに基づいて、オーバーフローあるいはアンダーフローが発生しないように、量子化部３５の量子化動作のレートを制御する。また、レート制御部４９は、色差信号量子化部５０に、輝度信号量子化パラメータ、色差信号量子化パラメータ、およびChromaQPOffsetを供給する。そして、処理は、図２０のステップＳ１２に戻り、ステップＳ１３に進む。
【０１６８】
なお、図２２および図２３の符号化処理では、説明を簡単化するため、常に、イントラ予測処理と動き予測・補償処理が行われるようにしたが、実際には、ピクチャタイプ等によっていずれか一方のみが行われる場合もある。
【０１６９】
（復号装置の一実施の形態の構成例）
図２４は、図２０の符号化装置１０から伝送される符号化ストリームを復号する、本開示を適用した復号装置の一実施の形態の構成例を示すブロック図である。
【０１７０】
図２４の復号装置１１０は、受け取り部１１１、抽出部１１２、および復号部１１３により構成される。
【０１７１】
復号装置１１０の受け取り部１１１は、図２０の符号化装置１０から伝送されてくる符号化ストリームを受け取り、抽出部１１２に供給する。
【０１７２】
抽出部１１２は、受け取り部１１１から供給される符号化ストリームから、VPSやSPSなどのパラメータセットと符号化データを抽出し、復号部１１３に供給する。
【０１７３】
復号部１１３は、抽出部１１２から供給される符号化データをHEVC方式に準ずる方式で復号する。このとき、復号部１１３は、必要に応じて、抽出部１１２から供給されるパラメータセットも参照する。復号部１１３は、復号の結果得られる画像を出力する。
【０１７４】
（復号部の構成例）
図２５は、図２４の復号部１１３の構成例を示すブロック図である。
【０１７５】
図２５の復号部１１３は、蓄積バッファ１３１、可逆復号部１３２、逆量子化部１３３、逆直交変換部１３４、加算部１３５、デブロックフィルタ１３６、適応オフセットフィルタ１３７、適応ループフィルタ１３８、および画面並べ替えバッファ１３９を有する。また、復号部１１３は、D/A変換部１４０、フレームメモリ１４１、スイッチ１４２、イントラ予測部１４３、動き補償部１４４、およびスイッチ１４５を有する。
【０１７６】
復号部１１３の蓄積バッファ１３１は、図２４の抽出部１１２から符号化データを受け取り、蓄積する。蓄積バッファ１３１は、蓄積されている符号化データを可逆復号部１３２に供給する。
【０１７７】
可逆復号部１３２は、蓄積バッファ１３１からの符号化データに対して、可変長復号や、算術復号等の可逆復号を施すことで、量子化値と符号化情報を得る。可逆復号部１３２は、量子化値を逆量子化部１３３に供給する。また、可逆復号部１３２は、符号化情報としてのイントラ予測モード情報などをイントラ予測部１４３に供給する。可逆復号部１３２は、動きベクトル、インター予測モード情報、参照画像を特定する情報などを動き補償部１４４に供給する。
【０１７８】
さらに、可逆復号部１３２は、符号化情報としてのイントラ予測モード情報またはインター予測モード情報をスイッチ１４５に供給する。可逆復号部１３２は、符号化情報としてのオフセットフィルタ情報を適応オフセットフィルタ１３７に供給する。可逆復号部１３２は、符号化情報としてのフィルタ係数を適応ループフィルタ１３８に供給する。
【０１７９】
逆量子化部１３３、逆直交変換部１３４、加算部１３５、デブロックフィルタ１３６、適応オフセットフィルタ１３７、適応ループフィルタ１３８、フレームメモリ１４１、スイッチ１４２、イントラ予測部１４３、および動き補償部１４４は、図１９の逆量子化部３８、逆直交変換部３９、加算部４０、デブロックフィルタ４１、適応オフセットフィルタ４２、適応ループフィルタ４３、フレームメモリ４４、スイッチ４５、イントラ予測部４６、および動き予測・補償部４７とそれぞれ同様の処理を行い、これにより、画像が復号される。
【０１８０】
具体的には、逆量子化部１３３は、図１９の逆量子化部３８と同様に構成される。逆量子化部１３３は、ＴＵ単位で、可逆復号部１３２からの量子化値を逆量子化する。逆量子化部１３３は、その結果得られる直交変換処理結果を逆直交変換部１３４に供給する。
【０１８１】
逆直交変換部１３４は、図１９の逆直交変換部３９と同様に構成される。逆直交変換部１３４は、色差信号逆量子化部５１から供給される輝度信号量子化パラメータと色差信号量子化パラメータを用いて、逆量子化部１３３から供給される直交変換処理結果に対して逆直交変換処理を行う。逆直交変換部１３４は、逆直交変換処理の結果得られる残差情報を加算部１３５に供給する。
【０１８２】
加算部１３５は、逆直交変換部１３４から供給される残差情報と、スイッチ１４５から供給される予測画像を加算することにより、復号を行う。加算部１３５は、復号された画像をデブロックフィルタ１３６とフレームメモリ１４１に供給する。
【０１８３】
デブロックフィルタ１３６は、加算部１３５から供給される画像に対して適応デブロックフィルタ処理を行い、その結果得られる画像を適応オフセットフィルタ１３７に供給する。
【０１８４】
適応オフセットフィルタ１３７は、LCUごとに、可逆復号部１３２からのオフセットフィルタ情報が表すオフセットを用いて、適応デブロックフィルタ処理後の画像に対して、オフセットフィルタ情報が表す種類の適応オフセットフィルタ処理を行う。適応オフセットフィルタ１３７は、適応オフセットフィルタ処理後の画像を、適応ループフィルタ１３８に供給する。
【０１８５】
適応ループフィルタ１３８は、適応オフセットフィルタ１３７から供給される画像に対して、可逆復号部１３２から供給されるフィルタ係数を用いて、LCUごとに適応ループフィルタ処理を行う。適応ループフィルタ１３８は、その結果得られる画像をフレームメモリ１４１および画面並べ替えバッファ１３９に供給する。
【０１８６】
画面並べ替えバッファ１３９は、適応ループフィルタ１３８から供給される画像をフレーム単位で記憶する。画面並べ替えバッファ１３９は、記憶した符号化のための順番のフレーム単位の画像を、元の表示の順番に並び替え、D/A変換部１４０に供給する。
【０１８７】
D/A変換部１４０は、画面並べ替えバッファ１３９から供給されるフレーム単位の画像をD/A変換し、出力する。
【０１８８】
フレームメモリ１４１は、適応ループフィルタ１３８から供給される画像と加算部１３５から供給される画像を蓄積する。フレームメモリ１４１に蓄積されたフィルタ処理が行われていない画像のうちのＰＵに隣接する画像は、周辺画像としてスイッチ１４２を介してイントラ予測部１４３に供給される。一方、フレームメモリ１４１に蓄積されたフィルタ処理が行われた画像は、参照画像として、スイッチ１４２を介して動き補償部１４４に供給される。
【０１８９】
イントラ予測部１４３は、フレームメモリ１４１からスイッチ１４２を介して読み出された周辺画像を用いて、可逆復号部１３２から供給されるイントラ予測モード情報が示す最適イントラ予測モードのイントラ予測処理を行う。イントラ予測部１４３は、その結果生成される予測画像をスイッチ１４５に供給する。
【０１９０】
動き補償部１４４は、フレームメモリ１４１からスイッチ１４２を介して、可逆復号部１３２から供給される参照画像を特定する情報により特定される参照画像を読み出す。動き補償部１４４は、可逆復号部１３２から供給される動きベクトルと参照画像を用いて、可逆復号部１３２から供給されるインター予測モード情報が示す最適インター予測モードの動き補償処理を行う。動き補償部１４４は、その結果生成される予測画像をスイッチ１４５に供給する。
【０１９１】
スイッチ１４５は、可逆復号部１３２からイントラ予測モード情報が供給された場合、イントラ予測部１４３から供給される予測画像を加算部１３５に供給する。一方、可逆復号部１３２からインター予測モード情報が供給された場合、スイッチ１４５は、動き補償部１４４から供給される予測画像を加算部１３５に供給する。
【０１９２】
（復号装置の処理の説明）
図２６は、図２４の復号装置１１０の画像生成処理を説明するフローチャートである。
【０１９３】
図２６のステップＳ１１１において、復号装置１１０の受け取り部１１１は、図１８の符号化装置１０から伝送されてくる符号化ストリームを受け取り、抽出部１１２に供給する。
【０１９４】
ステップＳ１１２において、抽出部１１２は、受け取り部１１１から供給される符号化ストリームから、符号化データを抽出し、復号部１１３に供給する。
【０１９５】
ステップＳ１１３において、抽出部１１２は、受け取り部１１１から供給される符号化ストリームから、VPD,SPSなどのパラメータセットを抽出し、復号部１１３に供給する。この抽出処理の詳細は、後述する図２７を参照して説明する。
【０１９６】
ステップＳ１１４において、復号部１１３は、必要に応じて抽出部１１２から供給されるパラメータセットを用いて、抽出部１１２から供給される符号化データをHEVC方式に準ずる方式で復号する復号処理を行う。この復号処理の詳細は、後述する図２８を参照して説明する。そして、処理は終了する。
【０１９７】
次に、図２７を参照して、図２６のステップＳ１１３のパラメータ抽出処理の詳細を説明する。
【０１９８】
ステップＳ１３１において、抽出部１１２は、符号化ストリームから、vps_num_rep_formats_minus1を読み出す。ステップＳ１３２において、抽出部１１２は、i=0とする。
【０１９９】
ステップＳ１３３において、vps_num_rep_formats_minus1が１以下であるか否かを判定する。ステップＳ１３３において、vps_num_rep_formats_minus1が１以下であると判定された場合、処理は、ステップＳ１３４に進む。
【０２００】
抽出部１１２は、ステップＳ１３４において、i番目のrep_format()をビットストリームから取り出し、ステップＳ１３５において、i++を行う。その後、処理は、ステップＳ１３３に戻り、それ以降の処理が繰り返される。
【０２０１】
ステップＳ１３３において、iがvps_num_rep_formats_minus1より大きいと判定された場合、処理は、ステップＳ１３６に進む。
【０２０２】
ステップＳ１３６において抽出部１１２は、vps_num_rep_formats_minus1が０より大きいか否かを判定する。ステップＳ１３６において、vps_num_rep_formats_minus1が０より大きいと判定された場合、ステップＳ１３７において、抽出部１１２は、rep_format_idx_present_flag1をビットストリームから読み出す。
【０２０３】
ステップＳ１３６において、vps_num_rep_formats_minus1が０以下であると判定された場合、ステップＳ１３７の処理はスキップされる。
【０２０４】
ステップＳ１３８において、抽出部１１２は、vps_num_rep_formats_minus1が１であるか否かを判定する。ステップＳ１３８において、vps_num_rep_formats_minus1が１であると判定された場合、ステップＳ１３９において、抽出部１１２は、i=1とする。
【０２０５】
ステップＳ１４０において、iがMaxLayersMinus1以下であるか否かを判定する。ステップＳ１４０において、vps_num_rep_formats_minus1が１であると判定された場合、ステップＳ１４１において、抽出部１１２は、vps_rep_format_idx[i]が伝送されているか否かを判定する。
【０２０６】
ステップＳ１４１において、vps_rep_format_idx[i]が伝送されていると判定された場合、ステップＳ１４２において、抽出部１１２は、vps_rep_format_idx[i]をビットストリームから読み出す。
【０２０７】
ステップＳ１４１において、vps_rep_format_idx[i]が伝送されていないと判定された場合、ステップＳ１４３において、抽出部１１２は、vps_rep_format_idx[i]の値を設定する。具体的には、vps_rep_format_idx[i]を、rep_format_idx_present_flag?0:Min(i,vps_num_rep_formats_minus1)として、すなわち、rep_format_idx_present_flagが０のとき、iかvps_num_rep_formats_minus1の小さい方であるとして、値を設定する。
【０２０８】
その後、抽出部１１２は、Ｓ１４４において、i++とし、処理は、ステップＳ１４０に戻り、それ以降の処理が繰り返される。
【０２０９】
一方、ステップＳ１３８において、vps_num_rep_formats_minus1が１ではないと判定された場合、または、ステップＳ１４０において、MaxLayersMinus1より小さいと判定された場合、パラメータセット抽出処理は終了され、図２６のステップＳ１１３に戻る。
【０２１０】
次に、図２８を参照して、図２６のステップＳ１１３の復号処理の詳細を説明する。
【０２１１】
図２８のステップＳ１６１において、復号部１１３の蓄積バッファ１３１（図２５）は、図２４の抽出部１１２からフレーム単位の符号化データを受け取り、蓄積する。蓄積バッファ１３１は、蓄積されている符号化データを可逆復号部１３２に供給する。
【０２１２】
ステップＳ１６２において、可逆復号部１３２は、蓄積バッファ１３１からの符号化データを可逆復号し、量子化値と符号化情報を得る。可逆復号部１３２は、量子化値を逆量子化部１３３に供給する。
【０２１３】
また、可逆復号部１３２は、符号化情報としてのイントラ予測モード情報などをイントラ予測部１４３に供給する。可逆復号部１３２は、動きベクトル、インター予測モード情報、参照画像を特定する情報などを動き補償部１４４に供給する。
【０２１４】
さらに、可逆復号部１３２は、符号化情報としてのイントラ予測モード情報またはインター予測モード情報をスイッチ１４５に供給する。可逆復号部１３２は、符号化情報としてのオフセットフィルタ情報を適応オフセットフィルタ１３７に供給し、フィルタ係数を適応ループフィルタ１３８に供給する。
【０２１５】
ステップＳ１６３において、逆量子化部１３３は、可逆復号部１３２から供給される量子化値を逆量子化する。逆量子化部１３３は、逆量子化の結果得られる直交変換処理結果を逆直交変換部１３４に供給する。
【０２１６】
ステップＳ１６４において、逆直交変換部１３４は、逆量子化部１３３からの直交変換処理結果に対して逆直交変換処理を行う。
【０２１７】
ステップＳ１６５において、動き補償部１４４は、可逆復号部１３２からインター予測モード情報が供給されたかどうかを判定する。ステップＳ１６５でインター予測モード情報が供給されたと判定された場合、処理はステップＳ１６６に進む。
【０２１８】
ステップＳ１６６において、動き補償部１４４は、可逆復号部１３２から供給される参照画像特定情報に基づいて参照画像を読み出し、動きベクトルと参照画像を用いて、インター予測モード情報が示す最適インター予測モードの動き補償処理を行う。動き補償部１４４は、その結果生成される予測画像を、スイッチ１４５を介して加算部１３５に供給し、処理をステップＳ１６８に進める。
【０２１９】
一方、ステップＳ１６５でインター予測モード情報が供給されていないと判定された場合、即ちイントラ予測モード情報がイントラ予測部１４３に供給された場合、処理はステップＳ１６７に進む。
【０２２０】
ステップＳ１６７において、イントラ予測部１４３は、フレームメモリ１４１からスイッチ１４２を介して読み出された周辺画像を用いて、イントラ予測モード情報が示すイントラ予測モードのイントラ予測処理を行う。イントラ予測部１４３は、イントラ予測処理の結果生成される予測画像を、スイッチ１４５を介して加算部１３５に供給し、処理をステップＳ１６８に進める。
【０２２１】
ステップＳ１６８において、加算部１３５は、逆直交変換部１３４から供給される残差情報と、スイッチ１４５から供給される予測画像を加算することにより、復号を行う。加算部１３５は、復号された画像をデブロックフィルタ１３６とフレームメモリ１４１に供給する。
【０２２２】
ステップＳ１６９において、デブロックフィルタ１３６は、加算部１３５から供給される画像に対してデブロッキングフィルタ処理を行い、ブロック歪を除去する。デブロックフィルタ１３６は、その結果得られる画像を適応オフセットフィルタ１３７に供給する。
【０２２３】
ステップＳ１７０において、適応オフセットフィルタ１３７は、可逆復号部１３２から供給されるオフセットフィルタ情報に基づいて、デブロックフィルタ１３６によるデブロックフィルタ処理後の画像に対して、LCUごとに適応オフセットフィルタ処理を行う。適応オフセットフィルタ１３７は、適応オフセットフィルタ処理後の画像を、適応ループフィルタ１３８に供給する。
【０２２４】
ステップＳ１７１において、適応ループフィルタ１３８は、適応オフセットフィルタ１３７から供給される画像に対して、可逆復号部１３２から供給されるフィルタ係数を用いて、LCUごとに適応ループフィルタ処理を行う。適応ループフィルタ１３８は、その結果得られる画像をフレームメモリ１４１および画面並べ替えバッファ１３９に供給する。
【０２２５】
ステップＳ１７２において、フレームメモリ１４１は、加算部１３５から供給される画像と、適応ループフィルタ１３８から供給される画像を蓄積する。フレームメモリ１４１に蓄積されたフィルタ処理が行われていない画像のうちのＰＵに隣接する画像は、周辺画像としてスイッチ１４２を介してイントラ予測部１４３に供給される。一方、フレームメモリ１４１に蓄積されたフィルタ処理が行われた画像は、参照画像として、スイッチ１４２を介して動き補償部１４４に供給される。
【０２２６】
ステップＳ１７３において、画面並べ替えバッファ１３９は、適応ループフィルタ１３８から供給される画像をフレーム単位で記憶し、記憶した符号化のための順番のフレーム単位の画像を、元の表示の順番に並び替え、D/A変換部１４０に供給する。
【０２２７】
ステップＳ１７４において、D/A変換部１４０は、画面並べ替えバッファ１３９から供給されるフレーム単位の画像をD/A変換し、出力する。そして、処理は、図２６のステップＳ１１３に戻り、終了する。
【０２２８】
以上により、エンハンスメントレイヤと解像度情報のデフォルトのマッピングを改善すうことができる。
【０２２９】
以上においては、符号化方式としてHEVCに準じた方式を用いるようにした。ただし、本技術はこれに限らず、その他の符号化方式／復号方式を適用することができる。
【０２３０】
なお、本開示は、例えば、HEVC方式等の様に、離散コサイン変換等の直交変換と動き補償によって圧縮された画像情報（ビットストリーム）を、衛星放送、ケーブルテレビジョン、インターネット、または携帯電話機などのネットワークメディアを介して受信する際に用いられる画像符号化装置および画像復号装置に適用することができる。また、本開示は、光、磁気ディスク、およびフラッシュメモリのような記憶メディア上で処理する際に用いられる画像符号化装置および画像復号装置に適用することができる。
【０２３１】
＜第２実施の形態＞
（本開示を適用したコンピュータの説明）
上述した一連の処理は、ハードウエアにより実行することもできるし、ソフトウエアにより実行することもできる。一連の処理をソフトウエアにより実行する場合には、そのフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０２３２】
図２９は、上述した一連の処理をプログラムにより実行するコンピュータのハードウエアの構成例を示すブロック図である。
【０２３３】
コンピュータにおいて、CPU（Central Processing Unit）２０１，ROM（Read Only Memory）２０２，RAM（Random Access Memory）２０３は、バス２０４により相互に接続されている。
【０２３４】
バス２０４には、さらに、入出力インタフェース２０５が接続されている。入出力インタフェース２０５には、入力部２０６、出力部２０７、記憶部２０８、通信部２０９、及びドライブ２１０が接続されている。
【０２３５】
入力部２０６は、キーボード、マウス、マイクロホンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０２３６】
以上のように構成されるコンピュータでは、CPU２０１が、例えば、記憶部２０８に記憶されているプログラムを、入出力インタフェース２０５及びバス２０４を介して、RAM２０３にロードして実行することにより、上述した一連の処理が行われる。
【０２３７】
コンピュータ（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【０２３８】
コンピュータでは、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０２３９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２４０】
＜第３実施の形態＞
（多視点画像符号化・多視点画像復号への適用）
上述した一連の処理は、多視点画像符号化・多視点画像復号に適用することができる。図３０は、多視点画像符号化方式の一例を示す。
【０２４１】
図３０に示されるように、多視点画像は、複数の視点（ビュー（view））の画像を含む。この多視点画像の複数のビューは、他のビューの画像を利用せずに自身のビューの画像のみを用いて符号化・復号を行うベースビューと、他のビューの画像を利用して符号化・復号を行うノンベースビューとによりなる。ノンベースビューは、ベースビューの画像を利用するようにしても良いし、他のノンベースビューの画像を利用するようにしてもよい。
【０２４２】
図２２のような多視点画像を符号化・復号する場合、各ビューの画像を符号化・復号するが、この各ビューの符号化・復号に対して、上述した第１実施の形態の方法を適用するようにしてもよい。このようにすることにより、エンハンスメントレイヤと解像度情報のデフォルトのマッピングを改善できる。これにより、符号化効率が向上する。
【０２４３】
さらに、各ビューの符号化・復号において、上述した第１実施の形態の方法で使用されるパラメータを共有するようにしてもよい。より具体的には、例えば、符号化情報としてのVPS,SPS等を、各ビューの符号化・復号において共有するようにしてもよい。もちろん、これら以外の必要な情報も、各ビューの符号化・復号において共有するようにしてもよい。
【０２４４】
このようにすることにより、冗長な情報の伝送を抑制し、伝送する情報量（符号量）を低減することができる（つまり、符号化効率の低減を抑制することができる）。
【０２４５】
（多視点画像符号化装置）
図３１は、上述した多視点画像符号化を行う多視点画像符号化装置を示す図である。図３１に示されるように、多視点画像符号化装置６００は、符号化部６０１、符号化部６０２、および多重化部６０３を有する。
【０２４６】
符号化部６０１は、ベースビュー画像を符号化し、ベースビュー画像符号化ストリームを生成する。符号化部６０２は、ノンベースビュー画像を符号化し、ノンベースビュー画像符号化ストリームを生成する。多重化部６０３は、符号化部６０１において生成されたベースビュー画像符号化ストリームと、符号化部６０２において生成されたノンベースビュー画像符号化ストリームとを多重化し、多視点画像符号化ストリームを生成する。
【０２４７】
この多視点画像符号化装置６００の符号化部６０１および符号化部６０２に対して、符号化装置１０（図１８）を適用することができる。つまり、各ビューに対する符号化において、エンハンスメントレイヤと解像度情報のデフォルトのマッピングを改善できる。また、符号化部６０１および符号化部６０２は、互いに同一のフラグやパラメータ（例えば、画像間の処理に関するシンタクス要素等）を用いて、符号化を行うことができる（すなわち、フラグやパラメータを共有することができる）ので、符号化効率の低減を抑制することができる。
【０２４８】
（多視点画像復号装置）
図３２は、上述した多視点画像復号を行う多視点画像復号装置を示す図である。図３２に示されるように、多視点画像復号装置６１０は、逆多重化部６１１、復号部６１２、および復号部６１３を有する。
【０２４９】
逆多重化部６１１は、ベースビュー画像符号化ストリームとノンベースビュー画像符号化ストリームとが多重化された多視点画像符号化ストリームを逆多重化し、ベースビュー画像符号化ストリームと、ノンベースビュー画像符号化ストリームとを抽出する。復号部６１２は、逆多重化部６１１により抽出されたベースビュー画像符号化ストリームを復号し、ベースビュー画像を得る。復号部６１３は、逆多重化部６１１により抽出されたノンベースビュー画像符号化ストリームを復号し、ノンベースビュー画像を得る。
【０２５０】
この多視点画像復号装置６１０の復号部６１２および復号部６１３に対して、復号装置１１０（図２４）を適用することができる。つまり、エンハンスメントレイヤと解像度情報のデフォルトのマッピングを改善できる。また、復号部６１２および復号部６１３は、互いに同一のフラグやパラメータ（例えば、画像間の処理に関するシンタクス要素等）を用いて、復号を行うことができる（すなわち、フラグやパラメータを共有することができる）ので、符号化効率の低減を抑制することができる。
【０２５１】
＜第４実施の形態＞
（階層画像符号化・階層画像復号への適用）
上述した一連の処理は、階層画像符号化・階層画像復号（スケーラブル符号化・スケーラブル復号）に適用することができる。図３３は、階層画像符号化方式の一例を示す。
【０２５２】
階層画像符号化（スケーラブル符号化）は、画像データを、所定のパラメータについてスケーラブル（scalable）機能を有するように、画像を複数レイヤ化（階層化）し、レイヤ毎に符号化するものである。階層画像復号（スケーラブル復号）は、その階層画像符号化に対応する復号である。
【０２５３】
図３３に示されるように、画像の階層化においては、スケーラブル機能を有する所定のパラメータを基準として１の画像が複数の画像（レイヤ）に分割される。つまり、階層化された画像（階層画像）は、その所定のパラメータの値が互いに異なる複数の階層（レイヤ）の画像を含む。この階層画像の複数のレイヤは、他のレイヤの画像を利用せずに自身のレイヤの画像のみを用いて符号化・復号を行うベースレイヤと、他のレイヤの画像を利用して符号化・復号を行うノンベースレイヤ（エンハンスメントレイヤとも称する）とによりなる。ノンベースレイヤは、ベースレイヤの画像を利用するようにしても良いし、他のノンベースレイヤの画像を利用するようにしてもよい。
【０２５４】
一般的に、ノンベースレイヤは、冗長性が低減されるように、自身の画像と、他のレイヤの画像との差分画像のデータ（差分データ）により構成される。例えば、１の画像をベースレイヤとノンベースレイヤ（エンハンスメントレイヤとも称する）に２階層化した場合、ベースレイヤのデータのみで元の画像よりも低品質な画像が得られ、ベースレイヤのデータとノンベースレイヤのデータを合成することで、元の画像（すなわち高品質な画像）が得られる。
【０２５５】
このように画像を階層化することにより、状況に応じて多様な品質の画像を容易に得ることができる。例えば携帯電話のような、処理能力の低い端末に対しては、ベースレイヤ（base layer）のみの画像圧縮情報を伝送し、空間時間解像度の低い、或いは、画質の良くない動画像を再生し、テレビやパーソナルコンピュータのような、処理能力の高い端末に対しては、ベースレイヤ（base layer）に加えて、エンハンスメントレイヤ（enhancement layer）の画像圧縮情報を伝送し、空間時間解像度の高い、或いは、画質の高い動画像を再生するといったように、トランスコード処理を行うことなく、端末やネットワークの能力に応じた画像圧縮情報を、サーバから送信することが可能となる。
【０２５６】
図３３の例のような階層画像を符号化・復号する場合、各レイヤの画像を符号化・復号するが、この各レイヤの符号化・復号に対して、上述した第１実施の形態の方法を適用するようにしてもよい。このようにすることにより、エンハンスメントレイヤと解像度情報のデフォルトのマッピングを改善できる。これにより符号化効率が向上する。
【０２５７】
さらに、各レイヤの符号化・復号において、上述した第１実施の形態の方法で使用されるフラグやパラメータを共有するようにしてもよい。より具体的には、例えば、符号化情報としてのVPS,SPS等を、各レイヤの符号化・復号において共有するようにしてもよい。もちろん、これら以外の必要な情報も、各レイヤの符号化・復号において共有するようにしてもよい。
【０２５８】
このようにすることにより、冗長な情報の伝送を抑制し、伝送する情報量（符号量）を
低減することができる（つまり、符号化効率の低減を抑制することができる）。
【０２５９】
（スケーラブルなパラメータ）
このような階層画像符号化・階層画像復号（スケーラブル符号化・スケーラブル復号）において、スケーラブル（scalable）機能を有するパラメータは、任意である。例えば、図３４に示されるような空間解像度をそのパラメータとしてもよい（spatial scalability）。このスペーシャルスケーラビリティ（spatial scalability）の場合、レイヤ毎に画像の解像度が異なる。つまり、この場合、図３４に示されるように、各ピクチャが、元の画像より空間的に低解像度のベースレイヤと、ベースレイヤと合成することにより元の空間解像度が得られるエンハンスメントレイヤの２階層に階層化される。もちろん、この階層数は一例であり、任意の階層数に階層化することができる。
【０２６０】
また、このようなスケーラブル性を持たせるパラメータとして、他には、例えば、図３５に示されるような、時間解像度を適用しても良い（temporal scalability）。このテンポラルスケーラビリティ（temporal scalability）の場合、レイヤ毎にフレームレートが異なる。つまり、この場合、図３５に示されるように、各ピクチャが、元の動画像より低フレームレートのベースレイヤと、ベースレイヤと合成することにより元のフレームレートが得られるエンハンスメントレイヤの２階層に階層化される。もちろん、この階層数は一例であり、任意の階層数に階層化することができる。
【０２６１】
さらに、このようなスケーラブル性を持たせるパラメータとして、例えば、信号雑音比（SNR（Signal to Noise ratio））を適用しても良い（SNR scalability）。このSNRスケーラビリティ（SNR scalability）の場合、レイヤ毎にSN比が異なる。つまり、この場合、図３６に示されるように、各ピクチャが、元の画像よりSNRの低いベースレイヤと、ベースレイヤと合成することにより元のSNRが得られるエンハンスメントレイヤの２階層に階層化される。もちろん、この階層数は一例であり、任意の階層数に階層化することができる。
【０２６２】
スケーラブル性を持たせるパラメータは、上述した例以外であっても、もちろんよい。例えば、スケーラブル性を持たせるパラメータとして、ビット深度を用いることもできる（bit-depth scalability）。このビット深度スケーラビリティ（bit-depth scalability）の場合、レイヤ毎にビット深度が異なる。この場合、例えば、ベースレイヤ（base layer）が８ビット（bit）画像よりなり、これにエンハンスメントレイヤ（enhancement layer）を加えることにより、10ビット（bit）画像が得られるようにすることができる。
【０２６３】
また、スケーラブル性を持たせるパラメータとして、クロマフォーマットを用いることもできる（chroma scalability）。このクロマスケーラビリティ（chroma scalability）の場合、レイヤ毎にクロマフォーマットが異なる。この場合、例えば、ベースレイヤ（base layer）が4:2:0フォーマットのコンポーネント画像よりなり、これにエンハンスメントレイヤ（enhancement layer）を加えることにより、4:2:2フォーマットのコンポーネント画像が得られるようにすることができる。
【０２６４】
（階層画像符号化装置）
図３７は、上述した階層画像符号化を行う階層画像符号化装置を示す図である。図３７に示されるように、階層画像符号化装置６２０は、符号化部６２１、符号化部６２２、および多重化部６２３を有する。
【０２６５】
符号化部６２１は、ベースレイヤ画像を符号化し、ベースレイヤ画像符号化ストリームを生成する。符号化部６２２は、ノンベースレイヤ画像を符号化し、ノンベースレイヤ画像符号化ストリームを生成する。多重化部６２３は、符号化部６２１において生成されたベースレイヤ画像符号化ストリームと、符号化部６２２において生成されたノンベースレイヤ画像符号化ストリームとを多重化し、階層画像符号化ストリームを生成する。
【０２６６】
この階層画像符号化装置６２０の符号化部６２１および符号化部６２２に対して、符号化装置１０（図１８）を適用することができる。つまり、エンハンスメントレイヤと解像度情報のデフォルトのマッピングを改善できる。また、符号化部６２１および符号化部６２２は、互いに同一のフラグやパラメータ（例えば、画像間の処理に関するシンタクス要素等）を用いて、イントラ予測のフィルタ処理の制御等を行うことができる（すなわち、フラグやパラメータを共有することができる）ので、符号化効率の低減を抑制することができる。
【０２６７】
（階層画像復号装置）
図３８は、上述した階層画像復号を行う階層画像復号装置を示す図である。図３８に示されるように、階層画像復号装置６３０は、逆多重化部６３１、復号部６３２、および復号部６３３を有する。
【０２６８】
逆多重化部６３１は、ベースレイヤ画像符号化ストリームとノンベースレイヤ画像符号化ストリームとが多重化された階層画像符号化ストリームを逆多重化し、ベースレイヤ画像符号化ストリームと、ノンベースレイヤ画像符号化ストリームとを抽出する。復号部６３２は、逆多重化部６３１により抽出されたベースレイヤ画像符号化ストリームを復号し、ベースレイヤ画像を得る。復号部６３３は、逆多重化部６３１により抽出されたノンベースレイヤ画像符号化ストリームを復号し、ノンベースレイヤ画像を得る。
【０２６９】
この階層画像復号装置６３０の復号部６３２および復号部６３３に対して、復号装置１１０（図２４）を適用することができる。つまり、エンハンスメントレイヤと解像度情報のデフォルトのマッピングを改善できる。また、復号部６１２および復号部６１３は、互いに同一のフラグやパラメータ（例えば、画像間の処理に関するシンタクス要素等）を用いて、復号を行うことができる（すなわち、フラグやパラメータを共有することができる）ので、符号化効率の低減を抑制することができる。
【０２７０】
＜第５実施の形態＞
（テレビジョン装置の構成例）
図３９は、本開示を適用したテレビジョン装置の概略構成を例示している。テレビジョン装置９００は、アンテナ９０１、チューナ９０２、デマルチプレクサ９０３、デコーダ９０４、映像信号処理部９０５、表示部９０６、音声信号処理部９０７、スピーカ９０８、外部インタフェース部９０９を有している。さらに、テレビジョン装置９００は、制御部９１０、ユーザインタフェース部９１１等を有している。
【０２７１】
チューナ９０２は、アンテナ９０１で受信された放送波信号から所望のチャンネルを選局して復調を行い、得られた符号化ビットストリームをデマルチプレクサ９０３に出力する。
【０２７２】
デマルチプレクサ９０３は、符号化ビットストリームから視聴対象である番組の映像や音声のパケットを抽出して、抽出したパケットのデータをデコーダ９０４に出力する。また、デマルチプレクサ９０３は、ＥＰＧ（Electronic Program Guide）等のデータのパケットを制御部９１０に供給する。なお、スクランブルが行われている場合、デマルチプレクサ等でスクランブルの解除を行う。
【０２７３】
デコーダ９０４は、パケットの復号化処理を行い、復号処理化によって生成された映像データを映像信号処理部９０５、音声データを音声信号処理部９０７に出力する。
【０２７４】
映像信号処理部９０５は、映像データに対して、ノイズ除去やユーザ設定に応じた映像処理等を行う。映像信号処理部９０５は、表示部９０６に表示させる番組の映像データや、ネットワークを介して供給されるアプリケーションに基づく処理による画像データなどを生成する。また、映像信号処理部９０５は、項目の選択などのメニュー画面等を表示するための映像データを生成し、それを番組の映像データに重畳する。映像信号処理部９０５は、このようにして生成した映像データに基づいて駆動信号を生成して表示部９０６を駆動する。
【０２７５】
表示部９０６は、映像信号処理部９０５からの駆動信号に基づき表示デバイス（例えば液晶表示素子等）を駆動して、番組の映像などを表示させる。
【０２７６】
音声信号処理部９０７は、音声データに対してノイズ除去などの所定の処理を施し、処理後の音声データのＤ／Ａ変換処理や増幅処理を行いスピーカ９０８に供給することで音声出力を行う。
【０２７７】
外部インタフェース部９０９は、外部機器やネットワークと接続するためのインタフェースであり、映像データや音声データ等のデータ送受信を行う。
【０２７８】
制御部９１０にはユーザインタフェース部９１１が接続されている。ユーザインタフェース部９１１は、操作スイッチやリモートコントロール信号受信部等で構成されており、ユーザ操作に応じた操作信号を制御部９１０に供給する。
【０２７９】
制御部９１０は、ＣＰＵ(Central Processing Unit)やメモリ等を用いて構成されている。メモリは、ＣＰＵにより実行されるプログラムやＣＰＵが処理を行う上で必要な各種のデータ、ＥＰＧデータ、ネットワークを介して取得されたデータ等を記憶する。メモリに記憶されているプログラムは、テレビジョン装置９００の起動時などの所定タイミングでＣＰＵにより読み出されて実行される。ＣＰＵは、プログラムを実行することで、テレビジョン装置９００がユーザ操作に応じた動作となるように各部を制御する。
【０２８０】
なお、テレビジョン装置９００では、チューナ９０２、デマルチプレクサ９０３、映像信号処理部９０５、音声信号処理部９０７、外部インタフェース部９０９等と制御部９１０を接続するためバス９１２が設けられている。
【０２８１】
このように構成されたテレビジョン装置では、デコーダ９０４に本願の復号装置（復号方法）の機能が設けられる。このため、符号化ストリームの復号処理において、エンハンスメントレイヤと解像度情報のデフォルトのマッピングを改善できる。
【０２８２】
＜第６実施の形態＞
（携帯電話機の構成例）
図４０は、本開示を適用した携帯電話機の概略構成を例示している。携帯電話機９２０は、通信部９２２、音声コーデック９２３、カメラ部９２６、画像処理部９２７、多重分離部９２８、記録再生部９２９、表示部９３０、制御部９３１を有している。これらは、バス９３３を介して互いに接続されている。
【０２８３】
また、通信部９２２にはアンテナ９２１が接続されており、音声コーデック９２３には、スピーカ９２４とマイクロホン９２５が接続されている。さらに制御部９３１には、操作部９３２が接続されている。
【０２８４】
携帯電話機９２０は、音声通話モードやデータ通信モード等の各種モードで、音声信号の送受信、電子メールや画像データの送受信、画像撮影、またはデータ記録等の各種動作を行う。
【０２８５】
音声通話モードにおいて、マイクロホン９２５で生成された音声信号は、音声コーデック９２３で音声データへの変換やデータ圧縮が行われて通信部９２２に供給される。通信部９２２は、音声データの変調処理や周波数変換処理等を行い、送信信号を生成する。また、通信部９２２は、送信信号をアンテナ９２１に供給して図示しない基地局へ送信する。また、通信部９２２は、アンテナ９２１で受信した受信信号の増幅や周波数変換処理および復調処理等を行い、得られた音声データを音声コーデック９２３に供給する。音声コーデック９２３は、音声データのデータ伸張やアナログ音声信号への変換を行いスピーカ９２４に出力する。
【０２８６】
また、データ通信モードにおいて、メール送信を行う場合、制御部９３１は、操作部９３２の操作によって入力された文字データを受け付けて、入力された文字を表示部９３０に表示する。また、制御部９３１は、操作部９３２におけるユーザ指示等に基づいてメールデータを生成して通信部９２２に供給する。通信部９２２は、メールデータの変調処理や周波数変換処理等を行い、得られた送信信号をアンテナ９２１から送信する。また、通信部９２２は、アンテナ９２１で受信した受信信号の増幅や周波数変換処理および復調処理等を行い、メールデータを復元する。このメールデータを、表示部９３０に供給して、メール内容の表示を行う。
【０２８７】
なお、携帯電話機９２０は、受信したメールデータを、記録再生部９２９で記憶媒体に記憶させることも可能である。記憶媒体は、書き換え可能な任意の記憶媒体である。例えば、記憶媒体は、ＲＡＭや内蔵型フラッシュメモリ等の半導体メモリ、ハードディスク、磁気ディスク、光磁気ディスク、光ディスク、USB（Universal Serial Bus）メモリ、またはメモリカード等のリムーバブルメディアである。
【０２８８】
データ通信モードにおいて画像データを送信する場合、カメラ部９２６で生成された画像データを、画像処理部９２７に供給する。画像処理部９２７は、画像データの符号化処理を行い、符号化データを生成する。
【０２８９】
多重分離部９２８は、画像処理部９２７で生成された符号化データと、音声コーデック９２３から供給された音声データを所定の方式で多重化して通信部９２２に供給する。通信部９２２は、多重化データの変調処理や周波数変換処理等を行い、得られた送信信号をアンテナ９２１から送信する。また、通信部９２２は、アンテナ９２１で受信した受信信号の増幅や周波数変換処理および復調処理等を行い、多重化データを復元する。この多重化データを多重分離部９２８に供給する。多重分離部９２８は、多重化データの分離を行い、符号化データを画像処理部９２７、音声データを音声コーデック９２３に供給する。画像処理部９２７は、符号化データの復号化処理を行い、画像データを生成する。この画像データを表示部９３０に供給して、受信した画像の表示を行う。音声コーデック９２３は、音声データをアナログ音声信号に変換してスピーカ９２４に供給して、受信した音声を出力する。
【０２９０】
このように構成された携帯電話装置では、画像処理部９２７に本願の符号化装置および復号装置（符号化方法および復号方法）の機能が設けられる。このため、エンハンスメントレイヤと解像度情報のデフォルトのマッピングを改善できる。
【０２９１】
＜第７実施の形態＞
（記録再生装置の構成例）
図４１は、本開示を適用した記録再生装置の概略構成を例示している。記録再生装置９４０は、例えば受信した放送番組のオーディオデータとビデオデータを、記録媒体に記録して、その記録されたデータをユーザの指示に応じたタイミングでユーザに提供する。また、記録再生装置９４０は、例えば他の装置からオーディオデータやビデオデータを取得し、それらを記録媒体に記録させることもできる。さらに、記録再生装置９４０は、記録媒体に記録されているオーディオデータやビデオデータを復号して出力することで、モニタ装置等において画像表示や音声出力を行うことができるようにする。
【０２９２】
記録再生装置９４０は、チューナ９４１、外部インタフェース部９４２、エンコーダ９４３、ＨＤＤ（Hard Disk Drive）部９４４、ディスクドライブ９４５、セレクタ９４６、デコーダ９４７、ＯＳＤ（On-Screen Display）部９４８、制御部９４９、ユーザインタフェース部９５０を有している。
【０２９３】
チューナ９４１は、図示しないアンテナで受信された放送信号から所望のチャンネルを選局する。チューナ９４１は、所望のチャンネルの受信信号を復調して得られた符号化ビットストリームをセレクタ９４６に出力する。
【０２９４】
外部インタフェース部９４２は、ＩＥＥＥ１３９４インタフェース、ネットワークインタフェース部、ＵＳＢインタフェース、フラッシュメモリインタフェース等の少なくともいずれかで構成されている。外部インタフェース部９４２は、外部機器やネットワーク、メモリカード等と接続するためのインタフェースであり、記録する映像データや音声データ等のデータ受信を行う。
【０２９５】
エンコーダ９４３は、外部インタフェース部９４２から供給された映像データや音声データが符号化されていないとき所定の方式で符号化を行い、符号化ビットストリームをセレクタ９４６に出力する。
【０２９６】
ＨＤＤ部９４４は、映像や音声等のコンテンツデータ、各種プログラムやその他のデータ等を内蔵のハードディスクに記録し、また再生時等にそれらを当該ハードディスクから読み出す。
【０２９７】
ディスクドライブ９４５は、装着されている光ディスクに対する信号の記録および再生を行う。光ディスク、例えばＤＶＤディスク（ＤＶＤ−Ｖｉｄｅｏ、ＤＶＤ−ＲＡＭ、ＤＶＤ−Ｒ、ＤＶＤ−ＲＷ、ＤＶＤ＋Ｒ、ＤＶＤ＋ＲＷ等）やＢｌｕ−ｒａｙ（登録商標）ディスク等である。
【０２９８】
セレクタ９４６は、映像や音声の記録時には、チューナ９４１またはエンコーダ９４３からのいずれかの符号化ビットストリームを選択して、ＨＤＤ部９４４やディスクドライブ９４５のいずれかに供給する。また、セレクタ９４６は、映像や音声の再生時に、ＨＤＤ部９４４またはディスクドライブ９４５から出力された符号化ビットストリームをデコーダ９４７に供給する。
【０２９９】
デコーダ９４７は、符号化ビットストリームの復号化処理を行う。デコーダ９４７は、復号処理化を行うことにより生成された映像データをＯＳＤ部９４８に供給する。また、デコーダ９４７は、復号処理化を行うことにより生成された音声データを出力する。
【０３００】
ＯＳＤ部９４８は、項目の選択などのメニュー画面等を表示するための映像データを生成し、それをデコーダ９４７から出力された映像データに重畳して出力する。
【０３０１】
制御部９４９には、ユーザインタフェース部９５０が接続されている。ユーザインタフェース部９５０は、操作スイッチやリモートコントロール信号受信部等で構成されており、ユーザ操作に応じた操作信号を制御部９４９に供給する。
【０３０２】
制御部９４９は、ＣＰＵやメモリ等を用いて構成されている。メモリは、ＣＰＵにより実行されるプログラムやＣＰＵが処理を行う上で必要な各種のデータを記憶する。メモリに記憶されているプログラムは、記録再生装置９４０の起動時などの所定タイミングでＣＰＵにより読み出されて実行される。ＣＰＵは、プログラムを実行することで、記録再生装置９４０がユーザ操作に応じた動作となるように各部を制御する。
【０３０３】
このように構成された記録再生装置では、エンコーダ９４３に本願の符号化装置（符号化方法）の機能が設けられる。このため、符号化ストリームの符号化において、エンハンスメントレイヤと解像度情報のデフォルトのマッピングを改善できる。また、デコーダ９４７に本願の復号装置（復号方法）の機能が設けられる。このため、符号化ストリームの復号において、エンハンスメントレイヤと解像度情報のデフォルトのマッピングを改善できる。
【０３０４】
＜第８実施の形態＞
（撮像装置の構成例）
図４２は、本開示を適用した撮像装置の概略構成を例示している。撮像装置９６０は、被写体を撮像し、被写体の画像を表示部に表示させたり、それを画像データとして、記録媒体に記録する。
【０３０５】
撮像装置９６０は、光学ブロック９６１、撮像部９６２、カメラ信号処理部９６３、画像データ処理部９６４、表示部９６５、外部インタフェース部９６６、メモリ部９６７、メディアドライブ９６８、ＯＳＤ部９６９、制御部９７０を有している。また、制御部９７０には、ユーザインタフェース部９７１が接続されている。さらに、画像データ処理部９６４や外部インタフェース部９６６、メモリ部９６７、メディアドライブ９６８、ＯＳＤ部９６９、制御部９７０等は、バス９７２を介して接続されている。
【０３０６】
光学ブロック９６１は、フォーカスレンズや絞り機構等を用いて構成されている。光学ブロック９６１は、被写体の光学像を撮像部９６２の撮像面に結像させる。撮像部９６２は、ＣＣＤまたはＣＭＯＳイメージセンサを用いて構成されており、光電変換によって光学像に応じた電気信号を生成してカメラ信号処理部９６３に供給する。
【０３０７】
カメラ信号処理部９６３は、撮像部９６２から供給された電気信号に対してニー補正やガンマ補正、色補正等の種々のカメラ信号処理を行う。カメラ信号処理部９６３は、カメラ信号処理後の画像データを画像データ処理部９６４に供給する。
【０３０８】
画像データ処理部９６４は、カメラ信号処理部９６３から供給された画像データの符号化処理を行う。画像データ処理部９６４は、符号化処理を行うことにより生成された符号化データを外部インタフェース部９６６やメディアドライブ９６８に供給する。また、画像データ処理部９６４は、外部インタフェース部９６６やメディアドライブ９６８から供給された符号化データの復号化処理を行う。画像データ処理部９６４は、復号化処理を行うことにより生成された画像データを表示部９６５に供給する。また、画像データ処理部９６４は、カメラ信号処理部９６３から供給された画像データを表示部９６５に供給する処理や、ＯＳＤ部９６９から取得した表示用データを、画像データに重畳させて表示部９６５に供給する。
【０３０９】
ＯＳＤ部９６９は、記号、文字、または図形からなるメニュー画面やアイコンなどの表示用データを生成して画像データ処理部９６４に出力する。
【０３１０】
外部インタフェース部９６６は、例えば、ＵＳＢ入出力端子などで構成され、画像の印刷を行う場合に、プリンタと接続される。また、外部インタフェース部９６６には、必要に応じてドライブが接続され、磁気ディスク、光ディスク等のリムーバブルメディアが適宜装着され、それらから読み出されたコンピュータプログラムが、必要に応じて、インストールされる。さらに、外部インタフェース部９６６は、ＬＡＮやインターネット等の所定のネットワークに接続されるネットワークインタフェースを有する。制御部９７０は、例えば、ユーザインタフェース部９７１からの指示にしたがって、メディアドライブ９６８から符号化データを読み出し、それを外部インタフェース部９６６から、ネットワークを介して接続される他の装置に供給させることができる。また、制御部９７０は、ネットワークを介して他の装置から供給される符号化データや画像データを、外部インタフェース部９６６を介して取得し、それを画像データ処理部９６４に供給したりすることができる。
【０３１１】
メディアドライブ９６８で駆動される記録メディアとしては、例えば、磁気ディスク、光磁気ディスク、光ディスク、または半導体メモリ等の、読み書き可能な任意のリムーバブルメディアが用いられる。また、記録メディアは、リムーバブルメディアとしての種類も任意であり、テープデバイスであってもよいし、ディスクであってもよいし、メモリカードであってもよい。もちろん、非接触IC（Integrated Circuit）カード等であってもよい。
【０３１２】
また、メディアドライブ９６８と記録メディアを一体化し、例えば、内蔵型ハードディスクドライブやＳＳＤ（Solid State Drive）等のように、非可搬性の記憶媒体により構成されるようにしてもよい。
【０３１３】
制御部９７０は、ＣＰＵを用いて構成されている。メモリ部９６７は、制御部９７０により実行されるプログラムや制御部９７０が処理を行う上で必要な各種のデータ等を記憶する。メモリ部９６７に記憶されているプログラムは、撮像装置９６０の起動時などの所定タイミングで制御部９７０により読み出されて実行される。制御部９７０は、プログラムを実行することで、撮像装置９６０がユーザ操作に応じた動作となるように各部を制御する。
【０３１４】
このように構成された撮像装置では、画像データ処理部９６４に本願の符号化装置および復号装置（符号化方法および復号方法）の機能が設けられる。このため、符号化ストリームの符号化または復号において、エンハンスメントレイヤと解像度情報のデフォルトのマッピングを改善できる。
【０３１５】
＜スケーラブル符号化の応用例＞
（第１のシステム）
次に、スケーラブル符号化（階層符号化）されたスケーラブル符号化データの具体的な利用例について説明する。スケーラブル符号化は、例えば、図４３に示される例のように、伝送するデータの選択のために利用される。
【０３１６】
図４３に示されるデータ伝送システム１０００において、配信サーバ１００２は、スケーラブル符号化データ記憶部１００１に記憶されているスケーラブル符号化データを読み出し、ネットワーク１００３を介して、パーソナルコンピュータ１００４、AV機器１００５、タブレットデバイス１００６、および携帯電話機１００７等の端末装置に配信する。
【０３１７】
その際、配信サーバ１００２は、端末装置の能力や通信環境等に応じて、適切な品質の符号化データを選択して伝送する。配信サーバ１００２が不要に高品質なデータを伝送しても、端末装置において高画質な画像を得られるとは限らず、遅延やオーバーフローの発生要因となる恐れがある。また、不要に通信帯域を占有したり、端末装置の負荷を不要に増大させたりしてしまう恐れもある。逆に、配信サーバ１００２が不要に低品質なデータを伝送しても、端末装置において十分な画質の画像を得ることができない恐れがある。そのため、配信サーバ１００２は、スケーラブル符号化データ記憶部１００１に記憶されているスケーラブル符号化データを、適宜、端末装置の能力や通信環境等に対して適切な品質の符号化データとして読み出し、伝送する。
【０３１８】
例えば、スケーラブル符号化データ記憶部１００１は、スケーラブルに符号化されたスケーラブル符号化データ（BL+EL）１０１１を記憶するとする。このスケーラブル符号化データ（BL+EL）１０１１は、ベースレイヤとエンハンスメントレイヤの両方を含む符号化データであり、復号することにより、ベースレイヤの画像およびエンハンスメントレイヤの画像の両方を得ることができるデータである。
【０３１９】
配信サーバ１００２は、データを伝送する端末装置の能力や通信環境等に応じて、適切なレイヤを選択し、そのレイヤのデータを読み出す。例えば、配信サーバ１００２は、処理能力の高いパーソナルコンピュータ１００４やタブレットデバイス１００６に対しては、高品質なスケーラブル符号化データ（BL+EL）１０１１をスケーラブル符号化データ記憶部１００１から読み出し、そのまま伝送する。これに対して、例えば、配信サーバ１００２は、処理能力の低いAV機器１００５や携帯電話機１００７に対しては、スケーラブル符号化データ（BL+EL）１０１１からベースレイヤのデータを抽出し、スケーラブル符号化データ（BL+EL）１０１１と同じコンテンツのデータであるが、スケーラブル符号化データ（BL+EL）１０１１よりも低品質なスケーラブル符号化データ（BL）１０１２として伝送する。
【０３２０】
このようにスケーラブル符号化データを用いることにより、データ量を容易に調整することができるので、遅延やオーバーフローの発生を抑制したり、端末装置や通信媒体の負荷の不要な増大を抑制したりすることができる。また、スケーラブル符号化データ（BL+EL）１０１１は、レイヤ間の冗長性が低減されているので、各レイヤの符号化データを個別のデータとする場合よりもそのデータ量を低減させることができる。したがって、スケーラブル符号化データ記憶部１００１の記憶領域をより効率よく使用することができる。
【０３２１】
なお、パーソナルコンピュータ１００４乃至携帯電話機１００７のように、端末装置には様々な装置を適用することができるので、端末装置のハードウエアの性能は、装置によって異なる。また、端末装置が実行するアプリケーションも様々であるので、そのソフトウエアの能力も様々である。さらに、通信媒体となるネットワーク１００３も、例えばインターネットやLAN（Local Area Network）等、有線若しくは無線、またはその両方を含むあらゆる通信回線網を適用することができ、そのデータ伝送能力は様々である。さらに、他の通信等によっても変化する恐れがある。
【０３２２】
そこで、配信サーバ１００２は、データ伝送を開始する前に、データの伝送先となる端末装置と通信を行い、端末装置のハードウエア性能や、端末装置が実行するアプリケーション（ソフトウエア）の性能等といった端末装置の能力に関する情報、並びに、ネットワーク１００３の利用可能帯域幅等の通信環境に関する情報を得るようにしてもよい。そして、配信サーバ１００２が、ここで得た情報を基に、適切なレイヤを選択するようにしてもよい。
【０３２３】
なお、レイヤの抽出は、端末装置において行うようにしてもよい。例えば、パーソナルコンピュータ１００４が、伝送されたスケーラブル符号化データ（BL+EL）１０１１を復号し、ベースレイヤの画像を表示しても良いし、エンハンスメントレイヤの画像を表示しても良い。また、例えば、パーソナルコンピュータ１００４が、伝送されたスケーラブル符号化データ（BL+EL）１０１１から、ベースレイヤのスケーラブル符号化データ（BL）１０１２を抽出し、記憶したり、他の装置に転送したり、復号してベースレイヤの画像を表示したりするようにしてもよい。
【０３２４】
もちろん、スケーラブル符号化データ記憶部１００１、配信サーバ１００２、ネットワーク１００３、および端末装置の数はいずれも任意である。また、以上においては、配信サーバ１００２がデータを端末装置に伝送する例について説明したが、利用例はこれに限定されない。データ伝送システム１０００は、スケーラブル符号化された符号化データを端末装置に伝送する際、端末装置の能力や通信環境等に応じて、適切なレイヤを選択して伝送するシステムであれば、任意のシステムに適用することができる。
【０３２５】
（第２のシステム）
また、スケーラブル符号化は、例えば、図４４に示される例のように、複数の通信媒体を介する伝送のために利用される。
【０３２６】
図４４に示されるデータ伝送システム１１００において、放送局１１０１は、地上波放送１１１１により、ベースレイヤのスケーラブル符号化データ（BL）１１２１を伝送する。また、放送局１１０１は、有線若しくは無線またはその両方の通信網よりなる任意のネットワーク１１１２を介して、エンハンスメントレイヤのスケーラブル符号化データ（EL）１１２２を伝送する（例えばパケット化して伝送する）。
【０３２７】
端末装置１１０２は、放送局１１０１が放送する地上波放送１１１１の受信機能を有し、この地上波放送１１１１を介して伝送されるベースレイヤのスケーラブル符号化データ（BL）１１２１を受け取る。また、端末装置１１０２は、ネットワーク１１１２を介した通信を行う通信機能をさらに有し、このネットワーク１１１２を介して伝送されるエンハンスメントレイヤのスケーラブル符号化データ（EL）１１２２を受け取る。
【０３２８】
端末装置１１０２は、例えばユーザ指示等に応じて、地上波放送１１１１を介して取得したベースレイヤのスケーラブル符号化データ（BL）１１２１を、復号してベースレイヤの画像を得たり、記憶したり、他の装置に伝送したりする。
【０３２９】
また、端末装置１１０２は、例えばユーザ指示等に応じて、地上波放送１１１１を介して取得したベースレイヤのスケーラブル符号化データ（BL）１１２１と、ネットワーク１１１２を介して取得したエンハンスメントレイヤのスケーラブル符号化データ（EL）１１２２とを合成して、スケーラブル符号化データ（BL+EL）を得たり、それを復号してエンハンスメントレイヤの画像を得たり、記憶したり、他の装置に伝送したりする。
【０３３０】
以上のように、スケーラブル符号化データは、例えばレイヤ毎に異なる通信媒体を介して伝送させることができる。したがって、負荷を分散させることができ、遅延やオーバーフローの発生を抑制することができる。
【０３３１】
また、状況に応じて、伝送に使用する通信媒体を、レイヤ毎に選択することができるようにしてもよい。例えば、データ量が比較的多いベースレイヤのスケーラブル符号化データ（BL）１１２１を帯域幅の広い通信媒体を介して伝送させ、データ量が比較的少ないエンハンスメントレイヤのスケーラブル符号化データ（EL）１１２２を帯域幅の狭い通信媒体を介して伝送させるようにしてもよい。また、例えば、エンハンスメントレイヤのスケーラブル符号化データ（EL）１１２２を伝送する通信媒体を、ネットワーク１１１２とするか、地上波放送１１１１とするかを、ネットワーク１１１２の利用可能帯域幅に応じて切り替えるようにしてもよい。もちろん、任意のレイヤのデータについて同様である。
【０３３２】
このように制御することにより、データ伝送における負荷の増大を、より抑制することができる。
【０３３３】
もちろん、レイヤ数は任意であり、伝送に利用する通信媒体の数も任意である。また、データ配信先となる端末装置１１０２の数も任意である。さらに、以上においては、放送局１１０１からの放送を例に説明したが、利用例はこれに限定されない。データ伝送システム１１００は、スケーラブル符号化された符号化データを、レイヤを単位として複数に分割し、複数の回線を介して伝送するシステムであれば、任意のシステムに適用することができる。
【０３３４】
（第３のシステム）
また、スケーラブル符号化は、例えば、図４５に示される例のように、符号化データの記憶に利用される。
【０３３５】
図４５に示される撮像システム１２００において、撮像装置１２０１は、被写体１２１１を撮像して得られた画像データをスケーラブル符号化し、スケーラブル符号化データ（BL+EL）１２２１として、スケーラブル符号化データ記憶装置１２０２に供給する。
【０３３６】
スケーラブル符号化データ記憶装置１２０２は、撮像装置１２０１から供給されるスケーラブル符号化データ（BL+EL）１２２１を、状況に応じた品質で記憶する。例えば、通常時の場合、スケーラブル符号化データ記憶装置１２０２は、スケーラブル符号化データ（BL+EL）１２２１からベースレイヤのデータを抽出し、低品質でデータ量の少ないベースレイヤのスケーラブル符号化データ（BL）１２２２として記憶する。これに対して、例えば、注目時の場合、スケーラブル符号化データ記憶装置１２０２は、高品質でデータ量の多いスケーラブル符号化データ（BL+EL）１２２１のまま記憶する。
【０３３７】
このようにすることにより、スケーラブル符号化データ記憶装置１２０２は、必要な場合のみ、画像を高画質に保存することができるので、画質劣化による画像の価値の低減を抑制しながら、データ量の増大を抑制することができ、記憶領域の利用効率を向上させることができる。
【０３３８】
例えば、撮像装置１２０１が監視カメラであるとする。撮像画像に監視対象（例えば侵入者）が写っていない場合（通常時の場合）、撮像画像の内容は重要でない可能性が高いので、データ量の低減が優先され、その画像データ（スケーラブル符号化データ）は、低品質に記憶される。これに対して、撮像画像に監視対象が被写体１２１１として写っている場合（注目時の場合）、その撮像画像の内容は重要である可能性が高いので、画質が優先され、その画像データ（スケーラブル符号化データ）は、高品質に記憶される。
【０３３９】
なお、通常時であるか注目時であるかは、例えば、スケーラブル符号化データ記憶装置１２０２が、画像を解析することにより判定しても良い。また、撮像装置１２０１が判定し、その判定結果をスケーラブル符号化データ記憶装置１２０２に伝送するようにしてもよい。
【０３４０】
なお、通常時であるか注目時であるかの判定基準は任意であり、判定基準とする画像の内容は任意である。もちろん、画像の内容以外の条件を判定基準とすることもできる。例えば、収録した音声の大きさや波形等に応じて切り替えるようにしてもよいし、所定の時間毎に切り替えるようにしてもよいし、ユーザ指示等の外部からの指示によって切り替えるようにしてもよい。
【０３４１】
また、以上においては、通常時と注目時の２つの状態を切り替える例を説明したが、状態の数は任意であり、例えば、通常時、やや注目時、注目時、非常に注目時等のように、３つ以上の状態を切り替えるようにしてもよい。ただし、この切り替える状態の上限数は、スケーラブル符号化データのレイヤ数に依存する。
【０３４２】
また、撮像装置１２０１が、スケーラブル符号化のレイヤ数を、状態に応じて決定するようにしてもよい。例えば、通常時の場合、撮像装置１２０１が、低品質でデータ量の少ないベースレイヤのスケーラブル符号化データ（BL）１２２２を生成し、スケーラブル符号化データ記憶装置１２０２に供給するようにしてもよい。また、例えば、注目時の場合、撮像装置１２０１が、高品質でデータ量の多いベースレイヤのスケーラブル符号化データ（BL+EL）１２２１を生成し、スケーラブル符号化データ記憶装置１２０２に供給するようにしてもよい。
【０３４３】
以上においては、監視カメラを例に説明したが、この撮像システム１２００の用途は任意であり、監視カメラに限定されない。
【０３４４】
＜第９実施の形態＞
（実施のその他の例）
以上において本開示を適用する装置やシステム等の例を説明したが、本開示は、これに限らず、このような装置またはシステムを構成する装置に搭載するあらゆる構成、例えば、システムLSI（Large Scale Integration）等としてのプロセッサ、複数のプロセッサ等を用いるモジュール、複数のモジュール等を用いるユニット、ユニットにさらにその他の機能を付加したセット等（すなわち、装置の一部の構成）として実施することもできる。
【０３４５】
（ビデオセットの構成例）
本開示をセットとして実施する場合の例について、図４６を参照して説明する。図４６は、本開示を適用したビデオセットの概略的な構成の一例を示している。
【０３４６】
近年、電子機器の多機能化が進んでおり、その開発や製造において、その一部の構成を販売や提供等として実施する場合、１機能を有する構成として実施を行う場合だけでなく、関連する機能を有する複数の構成を組み合わせ、複数の機能を有する１セットとして実施を行う場合も多く見られるようになってきた。
【０３４７】
図４６に示されるビデオセット１３００は、このような多機能化された構成であり、画像の符号化や復号（いずれか一方でもよいし、両方でも良い）に関する機能を有するデバイスに、その機能に関連するその他の機能を有するデバイスを組み合わせたものである。
【０３４８】
図４６に示されるように、ビデオセット１３００は、ビデオモジュール１３１１、外部メモリ１３１２、パワーマネージメントモジュール１３１３、およびフロントエンドモジュール１３１４等のモジュール群と、コネクティビティ１３２１、カメラ１３２２、およびセンサ１３２３等の関連する機能を有するデバイスとを有する。
【０３４９】
モジュールは、互いに関連するいくつかの部品的機能をまとめ、まとまりのある機能を持った部品としたものである。具体的な物理的構成は任意であるが、例えば、それぞれ機能を有する複数のプロセッサ、抵抗やコンデンサ等の電子回路素子、その他のデバイス等を配線基板等に配置して一体化したものが考えられる。また、モジュールに他のモジュールやプロセッサ等を組み合わせて新たなモジュールとすることも考えられる。
【０３５０】
図４６の例の場合、ビデオモジュール１３１１は、画像処理に関する機能を有する構成を組み合わせたものであり、アプリケーションプロセッサ、ビデオプロセッサ、ブロードバンドモデム１３３３、およびRFモジュール１３３４を有する。
【０３５１】
プロセッサは、所定の機能を有する構成をSoC（System On a Chip）により半導体チップに集積したものであり、例えばシステムLSI（Large Scale Integration）等と称されるものもある。この所定の機能を有する構成は、論理回路（ハードウエア構成）であってもよいし、CPU、ROM、RAM等と、それらを用いて実行されるプログラム（ソフトウエア構成）であってもよいし、その両方を組み合わせたものであってもよい。例えば、プロセッサが、論理回路とCPU、ROM、RAM等とを有し、機能の一部を論理回路（ハードウエア構成）により実現し、その他の機能をCPUにおいて実行されるプログラム（ソフトウエア構成）により実現するようにしてもよい。
【０３５２】
図４６のアプリケーションプロセッサ１３３１は、画像処理に関するアプリケーションを実行するプロセッサである。このアプリケーションプロセッサ１３３１において実行されるアプリケーションは、所定の機能を実現するために、演算処理を行うだけでなく、例えばビデオプロセッサ１３３２等、ビデオモジュール１３１１内外の構成を必要に応じて制御することもできる。
【０３５３】
ビデオプロセッサ１３３２は、画像の符号化・復号（その一方若しくは両方）に関する機能を有するプロセッサである。
【０３５４】
ブロードバンドモデム１３３３は、インターネットや公衆電話回線網等の広帯域の回線を介して行われる有線若しくは無線（またはその両方）の広帯域通信に関する処理を行うプロセッサ（若しくはモジュール）である。例えば、ブロードバンドモデム１３３３は、送信するデータ（デジタル信号）をデジタル変調する等してアナログ信号に変換したり、受信したアナログ信号を復調してデータ（デジタル信号）に変換したりする。例えば、ブロードバンドモデム１３３３は、ビデオプロセッサ１３３２が処理する画像データや画像データが符号化されたストリーム、アプリケーションプログラム、設定データ等、任意の情報をデジタル変調・復調することができる。
【０３５５】
RFモジュール１３３４は、アンテナを介して送受信されるRF（Radio Frequency）信号に対して、周波数変換、変復調、増幅、フィルタ処理等を行うモジュールである。例えば、RFモジュール１３３４は、ブロードバンドモデム１３３３により生成されたベースバンド信号に対して周波数変換等を行ってRF信号を生成する。また、例えば、RFモジュール１３３４は、フロントエンドモジュール１３１４を介して受信されたRF信号に対して周波数変換等を行ってベースバンド信号を生成する。
【０３５６】
なお、図４６において点線１３４１に示されるように、アプリケーションプロセッサ１３３１とビデオプロセッサ１３３２を、一体化し、１つのプロセッサとして構成されるようにしてもよい。
【０３５７】
外部メモリ１３１２は、ビデオモジュール１３１１の外部に設けられた、ビデオモジュール１３１１により利用される記憶デバイスを有するモジュールである。この外部メモリ１３１２の記憶デバイスは、どのような物理構成により実現するようにしてもよいが、一般的にフレーム単位の画像データのような大容量のデータの格納に利用されることが多いので、例えばDRAM（Dynamic Random Access Memory）のような比較的安価で大容量の半導体メモリにより実現するのが望ましい。
【０３５８】
パワーマネージメントモジュール１３１３は、ビデオモジュール１３１１（ビデオモジュール１３１１内の各構成）への電力供給を管理し、制御する。
【０３５９】
フロントエンドモジュール１３１４は、RFモジュール１３３４に対してフロントエンド機能（アンテナ側の送受信端の回路）を提供するモジュールである。図３８に示されるように、フロントエンドモジュール１３１４は、例えば、アンテナ部１３５１、フィルタ１３５２、および増幅部１３５３を有する。
【０３６０】
アンテナ部１３５１は、無線信号を送受信するアンテナおよびその周辺の構成を有する。アンテナ部１３５１は、増幅部１３５３から供給される信号を無線信号として送信し、受信した無線信号を電気信号（RF信号）としてフィルタ１３５２に供給する。フィルタ１３５２は、アンテナ部１３５１を介して受信されたRF信号に対してフィルタ処理等を行い、処理後のRF信号をRFモジュール１３３４に供給する。増幅部１３５３は、RFモジュール１３３４から供給されるRF信号を増幅し、アンテナ部１３５１に供給する。
【０３６１】
コネクティビティ１３２１は、外部との接続に関する機能を有するモジュールである。コネクティビティ１３２１の物理構成は、任意である。例えば、コネクティビティ１３２１は、ブロードバンドモデム１３３３が対応する通信規格以外の通信機能を有する構成や、外部入出力端子等を有する。
【０３６２】
例えば、コネクティビティ１３２１が、Bluetooth（登録商標）、IEEE 802.11（例えばWi-Fi（Wireless Fidelity、登録商標））、NFC（Near Field Communication）、IrDA（InfraRed Data Association）等の無線通信規格に準拠する通信機能を有するモジュールや、その規格に準拠した信号を送受信するアンテナ等を有するようにしてもよい。また、例えば、コネクティビティ１３２１が、USB（Universal Serial Bus）、HDMI（登録商標）（High-Definition Multimedia Interface）等の有線通信規格に準拠する通信機能を有するモジュールや、その規格に準拠した端子を有するようにしてもよい。さらに、例えば、コネクティビティ１３２１が、アナログ入出力端子等のその他のデータ（信号）伝送機能等を有するようにしてもよい。
【０３６３】
なお、コネクティビティ１３２１が、データ（信号）の伝送先のデバイスを含むようにしてもよい。例えば、コネクティビティ１３２１が、磁気ディスク、光ディスク、光磁気ディスク、または半導体メモリ等の記録媒体に対してデータの読み出しや書き込みを行うドライブ（リムーバブルメディアのドライブだけでなく、ハードディスク、SSD（Solid State Drive）、NAS（Network Attached Storage）等も含む）を有するようにしてもよい。また、コネクティビティ１３２１が、画像や音声の出力デバイス（モニタやスピーカ等）を有するようにしてもよい。
【０３６４】
カメラ１３２２は、被写体を撮像し、被写体の画像データを得る機能を有するモジュールである。カメラ１３２２の撮像により得られた画像データは、例えば、ビデオプロセッサ１３３２に供給されて符号化される。
【０３６５】
センサ１３２３は、例えば、音声センサ、超音波センサ、光センサ、照度センサ、赤外線センサ、イメージセンサ、回転センサ、角度センサ、角速度センサ、速度センサ、加速度センサ、傾斜センサ、磁気識別センサ、衝撃センサ、温度センサ等、任意のセンサ機能を有するモジュールである。センサ１３２３により検出されたデータは、例えば、アプリケーションプロセッサ１３３１に供給されてアプリケーション等により利用される。
【０３６６】
以上においてモジュールとして説明した構成をプロセッサとして実現するようにしてもよいし、逆にプロセッサとして説明した構成をモジュールとして実現するようにしてもよい。
【０３６７】
以上のような構成のビデオセット１３００において、後述するようにビデオプロセッサ１３３２に本開示を適用することができる。したがって、ビデオセット１３００は、本開示を適用したセットとして実施することができる。
【０３６８】
（ビデオプロセッサの構成例）
図４７は、本開示を適用したビデオプロセッサ１３３２（図４６）の概略的な構成の一例を示している。
【０３６９】
図４７の例の場合、ビデオプロセッサ１３３２は、ビデオ信号およびオーディオ信号の入力を受けてこれらを所定の方式で符号化する機能と、符号化されたビデオデータおよびオーディオデータを復号し、ビデオ信号およびオーディオ信号を再生出力する機能とを有する。
【０３７０】
図４７に示されるように、ビデオプロセッサ１３３２は、ビデオ入力処理部１４０１、第１画像拡大縮小部１４０２、第２画像拡大縮小部１４０３、ビデオ出力処理部１４０４、フレームメモリ１４０５、およびメモリ制御部１４０６を有する。また、ビデオプロセッサ１３３２は、エンコード・デコードエンジン１４０７、ビデオES（Elementary Stream）バッファ１４０８Ａおよび１４０８Ｂ、並びに、オーディオESバッファ１４０９Ａおよび１４０９Ｂを有する。さらに、ビデオプロセッサ１３３２は、オーディオエンコーダ１４１０、オーディオデコーダ１４１１、多重化部（MUX（Multiplexer））１４１２、逆多重化部（DMUX（Demultiplexer））１４１３、およびストリームバッファ１４１４を有する。
【０３７１】
ビデオ入力処理部１４０１は、例えばコネクティビティ１３２１（図４６）等から入力されたビデオ信号を取得し、デジタル画像データに変換する。第１画像拡大縮小部１４０２は、画像データに対してフォーマット変換や画像の拡大縮小処理等を行う。第２画像拡大縮小部１４０３は、画像データに対して、ビデオ出力処理部１４０４を介して出力する先でのフォーマットに応じて画像の拡大縮小処理を行ったり、第１画像拡大縮小部１４０２と同様のフォーマット変換や画像の拡大縮小処理等を行ったりする。ビデオ出力処理部１４０４は、画像データに対して、フォーマット変換やアナログ信号への変換等を行って、再生されたビデオ信号として例えばコネクティビティ１３２１（図４６）等に出力する。
【０３７２】
フレームメモリ１４０５は、ビデオ入力処理部１４０１、第１画像拡大縮小部１４０２、第２画像拡大縮小部１４０３、ビデオ出力処理部１４０４、およびエンコード・デコードエンジン１４０７によって共用される画像データ用のメモリである。フレームメモリ１４０５は、例えばDRAM等の半導体メモリとして実現される。
【０３７３】
メモリ制御部１４０６は、エンコード・デコードエンジン１４０７からの同期信号を受けて、アクセス管理テーブル１４０６Ａに書き込まれたフレームメモリ１４０５へのアクセススケジュールに従ってフレームメモリ１４０５に対する書き込み・読み出しのアクセスを制御する。アクセス管理テーブル１４０６Ａは、エンコード・デコードエンジン１４０７、第１画像拡大縮小部１４０２、第２画像拡大縮小部１４０３等で実行される処理に応じて、メモリ制御部１４０６により更新される。
【０３７４】
エンコード・デコードエンジン１４０７は、画像データのエンコード処理、並びに、画像データが符号化されたデータであるビデオストリームのデコード処理を行う。例えば、エンコード・デコードエンジン１４０７は、フレームメモリ１４０５から読み出した画像データを符号化し、ビデオストリームとしてビデオESバッファ１４０８Ａに順次書き込む。また、例えば、ビデオESバッファ１４０８Ｂからビデオストリームを順次読み出して復号し、画像データとしてフレームメモリ１４０５に順次書き込む。エンコード・デコードエンジン１４０７は、これらの符号化や復号において、フレームメモリ１４０５を作業領域として使用する。また、エンコード・デコードエンジン１４０７は、例えばマクロブロック毎の処理を開始するタイミングで、メモリ制御部１４０６に対して同期信号を出力する。
【０３７５】
ビデオESバッファ１４０８Ａは、エンコード・デコードエンジン１４０７によって生成されたビデオストリームをバッファリングして、多重化部（MUX）１４１２に供給する。ビデオESバッファ１４０８Ｂは、逆多重化部（DMUX）１４１３から供給されたビデオストリームをバッファリングして、エンコード・デコードエンジン１４０７に供給する。
【０３７６】
オーディオESバッファ１４０９Ａは、オーディオエンコーダ１４１０によって生成されたオーディオストリームをバッファリングして、多重化部（MUX）１４１２に供給する。オーディオESバッファ１４０９Ｂは、逆多重化部（DMUX）１４１３から供給されたオーディオストリームをバッファリングして、オーディオデコーダ１４１１に供給する。
【０３７７】
オーディオエンコーダ１４１０は、例えばコネクティビティ１３２１（図４６）等から入力されたオーディオ信号を例えばデジタル変換し、例えばMPEGオーディオ方式やAC3（AudioCode number 3）方式等の所定の方式で符号化する。オーディオエンコーダ１４１０は、オーディオ信号が符号化されたデータであるオーディオストリームをオーディオESバッファ１４０９Ａに順次書き込む。オーディオデコーダ１４１１は、オーディオESバッファ１４０９Ｂから供給されたオーディオストリームを復号し、例えばアナログ信号への変換等を行って、再生されたオーディオ信号として例えばコネクティビティ１３２１（図４６）等に供給する。
【０３７８】
多重化部（MUX）１４１２は、ビデオストリームとオーディオストリームとを多重化する。この多重化の方法（すなわち、多重化により生成されるビットストリームのフォーマット）は任意である。また、この多重化の際に、多重化部（MUX）１４１２は、所定のヘッダ情報等をビットストリームに付加することもできる。つまり、多重化部（MUX）１４１２は、多重化によりストリームのフォーマットを変換することができる。例えば、多重化部（MUX）１４１２は、ビデオストリームとオーディオストリームとを多重化することにより、転送用のフォーマットのビットストリームであるトランスポートストリームに変換する。また、例えば、多重化部（MUX）１４１２は、ビデオストリームとオーディオストリームとを多重化することにより、記録用のファイルフォーマットのデータ（ファイルデータ）に変換する。
【０３７９】
逆多重化部（DMUX）１４１３は、多重化部（MUX）１４１２による多重化に対応する方法で、ビデオストリームとオーディオストリームとが多重化されたビットストリームを逆多重化する。つまり、逆多重化部（DMUX）１４１３は、ストリームバッファ１４１４から読み出されたビットストリームからビデオストリームとオーディオストリームとを抽出する（ビデオストリームとオーディオストリームとを分離する）。つまり、逆多重化部（DMUX）１４１３は、逆多重化によりストリームのフォーマットを変換（多重化部（MUX）１４１２による変換の逆変換）することができる。例えば、逆多重化部（DMUX）１４１３は、例えばコネクティビティ１３２１やブロードバンドモデム１３３３等（いずれも図４６）から供給されたトランスポートストリームを、ストリームバッファ１４１４を介して取得し、逆多重化することにより、ビデオストリームとオーディオストリームとに変換することができる。また、例えば、逆多重化部（DMUX）１４１３は、例えばコネクティビティ１３２１により（図４６）各種記録媒体から読み出されたファイルデータを、ストリームバッファ１４１４を介して取得し、逆多重化することにより、ビデオストリームとオーディオストリームとに変換することができる。
【０３８０】
ストリームバッファ１４１４は、ビットストリームをバッファリングする。例えば、ストリームバッファ１４１４は、多重化部（MUX）１４１２から供給されたトランスポートストリームをバッファリングし、所定のタイミングにおいて、若しくは外部からの要求等に基づいて、例えばコネクティビティ１３２１やブロードバンドモデム１３３３（いずれも図４６）等に供給する。
【０３８１】
また、例えば、ストリームバッファ１４１４は、多重化部（MUX）１４１２から供給されたファイルデータをバッファリングし、所定のタイミングにおいて、若しくは外部からの要求等に基づいて、例えばコネクティビティ１３２１（図４６）等に供給し、各種記録媒体に記録させる。
【０３８２】
さらに、ストリームバッファ１４１４は、例えばコネクティビティ１３２１やブロードバンドモデム１３３３等（いずれも図４６）を介して取得したトランスポートストリームをバッファリングし、所定のタイミングにおいて、若しくは外部からの要求等に基づいて、逆多重化部（DMUX）１４１３に供給する。
【０３８３】
また、ストリームバッファ１４１４は、例えばコネクティビティ１３２１（図４６）等において各種記録媒体から読み出されたファイルデータをバッファリングし、所定のタイミングにおいて、若しくは外部からの要求等に基づいて、逆多重化部（DMUX）１４１３に供給する。
【０３８４】
次に、このような構成のビデオプロセッサ１３３２の動作の例について説明する。例えば、コネクティビティ１３２１（図４６）等からビデオプロセッサ１３３２に入力されたビデオ信号は、ビデオ入力処理部１４０１において４：２：２Ｙ／Ｃｂ／Ｃｒ方式等の所定の方式のデジタル画像データに変換され、フレームメモリ１４０５に順次書き込まれる。このデジタル画像データは、第１画像拡大縮小部１４０２または第２画像拡大縮小部１４０３に読み出されて、４：２：０Ｙ／Ｃｂ／Ｃｒ方式等の所定の方式へのフォーマット変換および拡大縮小処理が行われ、再びフレームメモリ１４０５に書き込まれる。この画像データは、エンコード・デコードエンジン１４０７によって符号化され、ビデオストリームとしてビデオESバッファ１４０８Ａに書き込まれる。
【０３８５】
また、コネクティビティ１３２１（図４６）等からビデオプロセッサ１３３２に入力されたオーディオ信号は、オーディオエンコーダ１４１０によって符号化され、オーディオストリームとして、オーディオESバッファ１４０９Ａに書き込まれる。
【０３８６】
ビデオESバッファ１４０８Ａのビデオストリームと、オーディオESバッファ１４０９Ａのオーディオストリームは、多重化部（MUX）１４１２に読み出されて多重化され、トランスポートストリーム若しくはファイルデータ等に変換される。多重化部（MUX）１４１２により生成されたトランスポートストリームは、ストリームバッファ１４１４にバッファされた後、例えばコネクティビティ１３２１やブロードバンドモデム１３３３（いずれも図４６）等を介して外部ネットワークに出力される。また、多重化部（MUX）１４１２により生成されたファイルデータは、ストリームバッファ１４１４にバッファされた後、例えばコネクティビティ１３２１（図４６）等に出力され、各種記録媒体に記録される。
【０３８７】
また、例えばコネクティビティ１３２１やブロードバンドモデム１３３３（いずれも図４６）等を介して外部ネットワークからビデオプロセッサ１３３２に入力されたトランスポートストリームは、ストリームバッファ１４１４にバッファされた後、逆多重化部（DMUX）１４１３により逆多重化される。また、例えばコネクティビティ１３２１（図４６）等において各種記録媒体から読み出され、ビデオプロセッサ１３３２に入力されたファイルデータは、ストリームバッファ１４１４にバッファされた後、逆多重化部（DMUX）１４１３により逆多重化される。つまり、ビデオプロセッサ１３３２に入力されたトランスポートストリームまたはファイルデータは、逆多重化部（DMUX）１４１３によりビデオストリームとオーディオストリームとに分離される。
【０３８８】
オーディオストリームは、オーディオESバッファ１４０９Ｂを介してオーディオデコーダ１４１１に供給され、復号されてオーディオ信号が再生される。また、ビデオストリームは、ビデオESバッファ１４０８Ｂに書き込まれた後、エンコード・デコードエンジン１４０７により順次読み出されて復号されてフレームメモリ１４０５に書き込まれる。復号された画像データは、第２画像拡大縮小部１４０３によって拡大縮小処理されて、フレームメモリ１４０５に書き込まれる。そして、復号された画像データは、ビデオ出力処理部１４０４に読み出されて、４：２：２Ｙ／Ｃｂ／Ｃｒ方式等の所定の方式にフォーマット変換され、さらにアナログ信号に変換されて、ビデオ信号が再生出力される。
【０３８９】
このように構成されるビデオプロセッサ１３３２に本開示を適用する場合、エンコード・デコードエンジン１４０７に、上述した各実施形態に係る本開示を適用すればよい。つまり、例えば、エンコード・デコードエンジン１４０７が、第１実施の形態に係る符号化装置や復号装置の機能を有するようにすればよい。このようにすることにより、ビデオプロセッサ１３３２は、図１乃至図２８を参照して上述した効果と同様の効果を得ることができる。
【０３９０】
なお、エンコード・デコードエンジン１４０７において、本開示（すなわち、上述した各実施形態に係る画像符号化装置や画像復号装置の機能）は、論理回路等のハードウエアにより実現するようにしてもよいし、組み込みプログラム等のソフトウエアにより実現するようにしてもよいし、それらの両方により実現するようにしてもよい。
【０３９１】
（ビデオプロセッサの他の構成例）
図４８は、本開示を適用したビデオプロセッサ１３３２（図４６）の概略的な構成の他の例を示している。図４８の例の場合、ビデオプロセッサ１３３２は、ビデオデータを所定の方式で符号化・復号する機能を有する。
【０３９２】
より具体的には、図４８に示されるように、ビデオプロセッサ１３３２は、制御部１５１１、ディスプレイインタフェース１５１２、ディスプレイエンジン１５１３、画像処理エンジン１５１４、および内部メモリ１５１５を有する。また、ビデオプロセッサ１３３２は、コーデックエンジン１５１６、メモリインタフェース１５１７、多重化・逆多重化部（MUX DMUX）１５１８、ネットワークインタフェース１５１９、およびビデオインタフェース１５２０を有する。
【０３９３】
制御部１５１１は、ディスプレイインタフェース１５１２、ディスプレイエンジン１５１３、画像処理エンジン１５１４、およびコーデックエンジン１５１６等、ビデオプロセッサ１３３２内の各処理部の動作を制御する。
【０３９４】
図４８に示されるように、制御部１５１１は、例えば、メインCPU１５３１、サブCPU１５３２、およびシステムコントローラ１５３３を有する。メインCPU１５３１は、ビデオプロセッサ１３３２内の各処理部の動作を制御するためのプログラム等を実行する。メインCPU１５３１は、そのプログラム等に従って制御信号を生成し、各処理部に供給する（つまり、各処理部の動作を制御する）。サブCPU１５３２は、メインCPU１５３１の補助的な役割を果たす。例えば、サブCPU１５３２は、メインCPU１５３１が実行するプログラム等の子プロセスやサブルーチン等を実行する。システムコントローラ１５３３は、メインCPU１５３１およびサブCPU１５３２が実行するプログラムを指定する等、メインCPU１５３１およびサブCPU１５３２の動作を制御する。
【０３９５】
ディスプレイインタフェース１５１２は、制御部１５１１の制御の下、画像データを例えばコネクティビティ１３２１（図４６）等に出力する。例えば、ディスプレイインタフェース１５１２は、デジタルデータの画像データをアナログ信号に変換し、再生されたビデオ信号として、またはデジタルデータの画像データのまま、コネクティビティ１３２１（図４６）のモニタ装置等に出力する。
【０３９６】
ディスプレイエンジン１５１３は、制御部１５１１の制御の下、画像データに対して、その画像を表示させるモニタ装置等のハードウエアスペックに合わせるように、フォーマット変換、サイズ変換、色域変換等の各種変換処理を行う。
【０３９７】
画像処理エンジン１５１４は、制御部１５１１の制御の下、画像データに対して、例えば画質改善のためのフィルタ処理等、所定の画像処理を施す。
【０３９８】
内部メモリ１５１５は、ディスプレイエンジン１５１３、画像処理エンジン１５１４、およびコーデックエンジン１５１６により共用される、ビデオプロセッサ１３３２の内部に設けられたメモリである。内部メモリ１５１５は、例えば、ディスプレイエンジン１５１３、画像処理エンジン１５１４、およびコーデックエンジン１５１６の間で行われるデータの授受に利用される。例えば、内部メモリ１５１５は、ディスプレイエンジン１５１３、画像処理エンジン１５１４、またはコーデックエンジン１５１６から供給されるデータを格納し、必要に応じて（例えば、要求に応じて）、そのデータを、ディスプレイエンジン１５１３、画像処理エンジン１５１４、またはコーデックエンジン１５１６に供給する。この内部メモリ１５１５は、どのような記憶デバイスにより実現するようにしてもよいが、一般的にブロック単位の画像データやパラメータ等といった小容量のデータの格納に利用することが多いので、例えばSRAM（Static Random Access Memory）のような比較的（例えば外部メモリ１３１２と比較して）小容量だが応答速度が高速な半導体メモリにより実現するのが望ましい。
【０３９９】
コーデックエンジン１５１６は、画像データの符号化や復号に関する処理を行う。このコーデックエンジン１５１６が対応する符号化・復号の方式は任意であり、その数は１つであってもよいし、複数であってもよい。例えば、コーデックエンジン１５１６は、複数の符号化・復号方式のコーデック機能を備え、その中から選択されたもので画像データの符号化若しくは符号化データの復号を行うようにしてもよい。
【０４００】
図４８に示される例において、コーデックエンジン１５１６は、コーデックに関する処理の機能ブロックとして、例えば、MPEG-2 Video１５４１、AVC/H.264１５４２、HEVC/H.265１５４３、HEVC/H.265(Scalable)１５４４、HEVC/H.265(Multi-view)１５４５、およびMPEG-DASH１５５１を有する。
【０４０１】
MPEG-2 Video１５４１は、画像データをMPEG-2方式で符号化したり復号したりする機能ブロックである。AVC/H.264１５４２は、画像データをAVC方式で符号化したり復号したりする機能ブロックである。HEVC/H.265１５４３は、画像データをHEVC方式で符号化したり復号したりする機能ブロックである。HEVC/H.265(Scalable)１５４４は、画像データをHEVC方式でスケーラブル符号化したりスケーラブル復号したりする機能ブロックである。HEVC/H.265(Multi-view)１５４５は、画像データをHEVC方式で多視点符号化したり多視点復号したりする機能ブロックである。
【０４０２】
MPEG-DASH１５５１は、画像データをMPEG-DASH（MPEG-Dynamic Adaptive Streaming over HTTP）方式で送受信する機能ブロックである。MPEG-DASHは、HTTP（HyperText Transfer Protocol）を使ってビデオのストリーミングを行う技術であり、予め用意された解像度等が互いに異なる複数の符号化データの中から適切なものをセグメント単位で選択し伝送することを特徴の１つとする。MPEG-DASH１５５１は、規格に準拠するストリームの生成やそのストリームの伝送制御等を行い、画像データの符号化・復号については、上述したMPEG-2 Video１５４１乃至HEVC/H.265(Multi-view)１５４５を利用する。
【０４０３】
メモリインタフェース１５１７は、外部メモリ１３１２用のインタフェースである。画像処理エンジン１５１４やコーデックエンジン１５１６から供給されるデータは、メモリインタフェース１５１７を介して外部メモリ１３１２に供給される。また、外部メモリ１３１２から読み出されたデータは、メモリインタフェース１５１７を介してビデオプロセッサ１３３２（画像処理エンジン１５１４若しくはコーデックエンジン１５１６）に供給される。
【０４０４】
多重化・逆多重化部（MUX DMUX）１５１８は、符号化データのビットストリーム、画像データ、ビデオ信号等、画像に関する各種データの多重化や逆多重化を行う。この多重化・逆多重化の方法は任意である。例えば、多重化の際に、多重化・逆多重化部（MUX DMUX）１５１８は、複数のデータを１つにまとめるだけでなく、所定のヘッダ情報等をそのデータに付加することもできる。また、逆多重化の際に、多重化・逆多重化部（MUX DMUX）１５１８は、１つのデータを複数に分割するだけでなく、分割した各データに所定のヘッダ情報等を付加することもできる。つまり、多重化・逆多重化部（MUX DMUX）１５１８は、多重化・逆多重化によりデータのフォーマットを変換することができる。例えば、多重化・逆多重化部（MUX DMUX）１５１８は、ビットストリームを多重化することにより、転送用のフォーマットのビットストリームであるトランスポートストリームや、記録用のファイルフォーマットのデータ（ファイルデータ）に変換することができる。もちろん、逆多重化によりその逆変換も可能である。
【０４０５】
ネットワークインタフェース１５１９は、例えばブロードバンドモデム１３３３やコネクティビティ１３２１（いずれも図４６）等向けのインタフェースである。ビデオインタフェース１５２０は、例えばコネクティビティ１３２１やカメラ１３２２（いずれも図３８）等向けのインタフェースである。
【０４０６】
次に、このようなビデオプロセッサ１３３２の動作の例について説明する。例えば、例えばコネクティビティ１３２１やブロードバンドモデム１３３３（いずれも図３８）等を介して外部ネットワークからトランスポートストリームを受信すると、そのトランスポートストリームは、ネットワークインタフェース１５１９を介して多重化・逆多重化部（MUX DMUX）１５１８に供給されて逆多重化され、コーデックエンジン１５１６により復号される。コーデックエンジン１５１６の復号により得られた画像データは、例えば、画像処理エンジン１５１４により所定の画像処理が施され、ディスプレイエンジン１５１３により所定の変換が行われ、ディスプレイインタフェース１５１２を介して例えばコネクティビティ１３２１（図４６）等に供給され、その画像がモニタに表示される。また、例えば、コーデックエンジン１５１６の復号により得られた画像データは、コーデックエンジン１５１６により再符号化され、多重化・逆多重化部（MUX DMUX）１５１８により多重化されてファイルデータに変換され、ビデオインタフェース１５２０を介して例えばコネクティビティ１３２１（図４６）等に出力され、各種記録媒体に記録される。
【０４０７】
さらに、例えば、コネクティビティ１３２１（図４６）等により図示せぬ記録媒体から読み出された、画像データが符号化された符号化データのファイルデータは、ビデオインタフェース１５２０を介して多重化・逆多重化部（MUX DMUX）１５１８に供給されて逆多重化され、コーデックエンジン１５１６により復号される。コーデックエンジン１５１６の復号により得られた画像データは、画像処理エンジン１５１４により所定の画像処理が施され、ディスプレイエンジン１５１３により所定の変換が行われ、ディスプレイインタフェース１５１２を介して例えばコネクティビティ１３２１（図４６）等に供給され、その画像がモニタに表示される。また、例えば、コーデックエンジン１５１６の復号により得られた画像データは、コーデックエンジン１５１６により再符号化され、多重化・逆多重化部（MUX DMUX）１５１８により多重化されてトランスポートストリームに変換され、ネットワークインタフェース１５１９を介して例えばコネクティビティ１３２１やブロードバンドモデム１３３３（いずれも図４６）等に供給され図示せぬ他の装置に伝送される。
【０４０８】
なお、ビデオプロセッサ１３３２内の各処理部の間での画像データやその他のデータの授受は、例えば、内部メモリ１５１５や外部メモリ１３１２を利用して行われる。また、パワーマネージメントモジュール１３１３は、例えば制御部１５１１への電力供給を制御する。
【０４０９】
このように構成されるビデオプロセッサ１３３２に本開示を適用する場合、コーデックエンジン１５１６に、上述した各実施形態に係る本開示を適用すればよい。つまり、例えば、コーデックエンジン１５１６が、第１実施の形態に係る符号化装置や復号装置を実現する機能ブロックを有するようにすればよい。さらに、例えば、コーデックエンジン１５１６が、このようにすることにより、ビデオプロセッサ１３３２は、図１乃至図２８を参照して上述した効果と同様の効果を得ることができる。
【０４１０】
なお、コーデックエンジン１５１６において、本開示（すなわち、上述した各実施形態に係る画像符号化装置や画像復号装置の機能）は、論理回路等のハードウエアにより実現するようにしてもよいし、組み込みプログラム等のソフトウエアにより実現するようにしてもよいし、それらの両方により実現するようにしてもよい。
【０４１１】
以上にビデオプロセッサ１３３２の構成を２例示したが、ビデオプロセッサ１３３２の構成は任意であり、上述した２例以外のものであってもよい。また、このビデオプロセッサ１３３２は、１つの半導体チップとして構成されるようにしてもよいが、複数の半導体チップとして構成されるようにしてもよい。例えば、複数の半導体を積層する３次元積層LSIとしてもよい。また、複数のLSIにより実現されるようにしてもよい。
【０４１２】
（装置への適用例）
【０４１３】
ビデオセット１３００は、画像データを処理する各種装置に組み込むことができる。例えば、ビデオセット１３００は、テレビジョン装置９００（図３９）、携帯電話機９２０（図４０）、記録再生装置９４０（図４１）、撮像装置９６０（図４２）等に組み込むことができる。ビデオセット１３００を組み込むことにより、その装置は、図１乃至図２８を参照して上述した効果と同様の効果を得ることができる。
【０４１４】
また、ビデオセット１３００は、例えば、図４３のデータ伝送システム１０００におけるパーソナルコンピュータ１００４、AV機器１００５、タブレットデバイス１００６、および携帯電話機１００７等の端末装置、図４４のデータ伝送システム１１００における放送局１１０１および端末装置１１０２、並びに、図４５の撮像システム１２００における撮像装置１２０１およびスケーラブル符号化データ記憶装置１２０２等にも組み込むことができる。ビデオセット１３００を組み込むことにより、その装置は、図１乃至図２８を参照して上述した効果と同様の効果を得ることができる。
【０４１５】
なお、上述したビデオセット１３００の各構成の一部であっても、ビデオプロセッサ１３３２を含むものであれば、本開示を適用した構成として実施することができる。例えば、ビデオプロセッサ１３３２のみを本開示を適用したビデオプロセッサとして実施することができる。また、例えば、上述したように点線１３４１により示されるプロセッサやビデオモジュール１３１１等を本開示を適用したプロセッサやモジュール等として実施することができる。さらに、例えば、ビデオモジュール１３１１、外部メモリ１３１２、パワーマネージメントモジュール１３１３、およびフロントエンドモジュール１３１４を組み合わせ、本開示を適用したビデオユニット１３６１として実施することもできる。いずれの構成の場合であっても、図１乃至図２８を参照して上述した効果と同様の効果を得ることができる。
【０４１６】
つまり、ビデオプロセッサ１３３２を含むものであればどのような構成であっても、ビデオセット１３００の場合と同様に、画像データを処理する各種装置に組み込むことができる。例えば、ビデオプロセッサ１３３２、点線１３４１により示されるプロセッサ、ビデオモジュール１３１１、または、ビデオユニット１３６１を、テレビジョン装置９００（図３９）、携帯電話機９２０（図４０）、記録再生装置９４０（図４１）、撮像装置９６０（図４２）、図４３のデータ伝送システム１０００におけるパーソナルコンピュータ１００４、AV機器１００５、タブレットデバイス１００６、および携帯電話機１００７等の端末装置、図４４のデータ伝送システム１１００における放送局１１０１および端末装置１１０２、並びに、図４５の撮像システム１２００における撮像装置１２０１およびスケーラブル符号化データ記憶装置１２０２等に組み込むことができる。そして、本開示を適用したいずれかの構成を組み込むことにより、その装置は、ビデオセット１３００の場合と同様に、図１乃至図２８を参照して上述した効果と同様の効果を得ることができる。
【０４１７】
なお、本明細書では、VPS,SPSなどの各種情報が、符号化データに多重化されて、符号化側から復号側へ伝送される例について説明した。しかしながら、これら情報を伝送する手法はかかる例に限定されない。例えば、これら情報は、符号化データに多重化されることなく、符号化データと関連付けられた別個のデータとして伝送され又は記録されてもよい。ここで、「関連付ける」という用語は、ビットストリームに含まれる画像（スライスやブロックなど、画像の一部であってもよい）と当該画像に対応する情報とを復号時にリンクさせ得るようにすることを意味する。即ち、情報は、符号化データとは別の伝送路上で伝送されてもよい。また、情報は、符号化データとは別の記録媒体（又は同一の記録媒体の別の記録エリア）に記録されてもよい。さらに、情報と符号化データとは、例えば、複数フレーム、１フレーム、又はフレーム内の一部分などの任意の単位で互いに関連付けられてよい。
【０４１８】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０４１９】
本明細書に記載された効果はあくまで例示であって限定されるものではなく、他の効果があってもよい。
【０４２０】
本開示の実施の形態は、上述した実施の形態に限定されるものではなく、本開示の要旨を逸脱しない範囲において種々の変更が可能である。
【０４２１】
例えば、本開示は、トランスフォームスキップを行うことが可能なHEVC方式以外の符号化方式の符号化装置や復号装置にも適用することができる。
【０４２２】
また、本開示は、符号化ストリームを、衛星放送、ケーブルＴＶ、インターネット、携帯電話などのネットワークメディアを介して受信する際、または光、磁気ディスク、フラッシュメモリのような記憶メディア上で処理する際に用いられる符号化装置や復号装置に適用することができる。
【０４２３】
さらに、本開示は、１つの機能をネットワークを介して複数の装置で分担、共同して処理するクラウドコンピューティングの構成をとることができる。
【０４２４】
また、上述のフローチャートで説明した各ステップは、１つの装置で実行する他、複数の装置で分担して実行することができる。
【０４２５】
さらに、１つのステップに複数の処理が含まれる場合には、その１つのステップに含まれる複数の処理は、１つの装置で実行する他、複数の装置で分担して実行することができる。
【０４２６】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０４２７】
なお、本技術は以下のような構成も取ることができる。
（１）  画像のレイヤの解像度情報の候補が複数あって、前記候補の数よりレイヤの数が多い場合、前記解像度情報とエンハンスメントレイヤとの対応関係を設定する設定部と、
画像を符号化して、ビットストリームを生成する符号化部と、
前記設定部により設定された対応関係に関する情報と、前記符号化部により生成されたビットストリームとを伝送する伝送部と
を備える画像符号化装置。
（２）  前記設定部は、前記候補の数がレイヤの数より多い場合、前記候補の先頭から順に、前記解像度情報とエンハンスメントレイヤとの対応関係を設定する
前記（１）に記載の画像符号化装置。
（３）  前記設定部は、前記候補の数が複数の場合、前記解像度情報とエンハンスメントレイヤとの対応関係の有無を示す情報を設定する
前記（１）または（２）に記載の画像符号化装置。
（４）  前記設定部は、前記候補の数が１つの場合、シーケンスパラメータセットでの解像度情報とエンハンスメントレイヤとの対応関係の更新を禁止する
前記（１）乃至（３）のいずれかに記載の画像符号化装置。
（５）  画像符号化装置が、
画像のレイヤの解像度情報の候補が複数あって、前記候補の数よりレイヤの数が多い場合、前記解像度情報とエンハンスメントレイヤとの対応関係を設定し、
画像を符号化して、ビットストリームを生成し、
設定された対応関係に関する情報と、生成されたビットストリームとを伝送する
画像符号化方法。
（６）  画像が符号化されて生成されたビットストリームを受け取る受け取り部と、
前記受け取り部により受け取られたビットストリームから、前記画像のレイヤの解像度情報の候補が複数あって、前記候補の数よりレイヤの数が多い場合に設定された前記解像度情報とエンハンスメントレイヤとの対応関係に関する情報を抽出する抽出部と、
前記抽出部により抽出された前記解像度情報とエンハンスメントレイヤとの対応関係に関する情報を用いて、前記受け取り部により受け取られたビットストリームを復号し、画像を生成する復号部と
を備える画像復号装置。
（７）  前記候補の数がレイヤの数より多い場合、前記解像度情報とエンハンスメントレイヤとの対応関係は、前記候補の先頭から順に設定されている
前記（６）に記載の画像復号装置。
（８）  前記候補の数が複数の場合、前記解像度情報とエンハンスメントレイヤとの対応関係の有無を示す情報が設定されている
前記（６）または（７）に記載の画像復号装置。
（９）  前記候補の数が１つの場合、シーケンスパラメータセットでの解像度情報とエンハンスメントレイヤとの対応関係の更新が禁止されている
前記（６）乃至（８）のいずれかに記載の画像復号装置。
（１０）  画像復号装置が、
画像が符号化されて生成されたビットストリームを受け取り、
受け取られたビットストリームから、前記画像のレイヤの解像度情報の候補が複数あって、前記候補の数よりレイヤの数が多い場合に設定された前記解像度情報とエンハンスメントレイヤとの対応関係に関する情報を抽出し、
抽出された前記解像度情報とエンハンスメントレイヤとの対応関係に関する情報を用いて、前記ビットストリームを復号し、画像を生成する
画像復号方法。
【符号の説明】
【０４２８】
１０  符号化装置，  １１  設定部，  １２  符号化部，  １３  伝送部，  １１０  復号装置，  １１１  受け取り部，  １１２  抽出部，  １１３  復号部
【図１】
2015186028.tif 000005
【図２】
2015186028.tif 000006
【図３】
2015186028.tif 000007
【図４】
2015186028.tif 000008
【図５】
2015186028.tif 000009
【図６】
2015186028.tif 000010
【図７】
2015186028.tif 000011
【図８】
2015186028.tif 000012
【図９】
2015186028.tif 000013
【図１０】
2015186028.tif 000014
【図１１】
2015186028.tif 000015
【図１２】
2015186028.tif 000016
【図１３】
2015186028.tif 000017
【図１４】
2015186028.tif 000018
【図１５】
2015186028.tif 000019
【図１６】
2015186028.tif 000020
【図１７】
2015186028.tif 000021
【図１８】
2015186028.tif 000022
【図１９】
2015186028.tif 000023
【図２０】
2015186028.tif 000024
【図２１】
2015186028.tif 000025
【図２２】
2015186028.tif 000026
【図２３】
2015186028.tif 000027
【図２４】
2015186028.tif 000028
【図２５】
2015186028.tif 000029
【図２６】
2015186028.tif 000030
【図２７】
2015186028.tif 000031
【図２８】
2015186028.tif 000032
【図２９】
2015186028.tif 000033
【図３０】
2015186028.tif 000034
【図３１】
2015186028.tif 000035
【図３２】
2015186028.tif 000036
【図３３】
2015186028.tif 000037
【図３４】
2015186028.tif 000038
【図３５】
2015186028.tif 000039
【図３６】
2015186028.tif 000040
【図３７】
2015186028.tif 000041
【図３８】
2015186028.tif 000042
【図３９】
2015186028.tif 000043
【図４０】
2015186028.tif 000044
【図４１】
2015186028.tif 000045
【図４２】
2015186028.tif 000046
【図４３】
2015186028.tif 000047
【図４４】
2015186028.tif 000048
【図４５】
2015186028.tif 000049
【図４６】
2015186028.tif 000050
【図４７】
2015186028.tif 000051
【図４８】
2015186028.tif 000052